(57)【特許請求の範囲】
【請求項１】
ユーザ機器（ＵＥ）の装置であって、前記ＵＥは、周波数間及び公衆地上移動体通信網（ＰＬＭＮ）間発見を実行するよう構成され、前記装置は、
前記ＵＥのサービングＰＬＭＮの搬送波周波数の、ｅＮｏｄｅＢから受信した、サービングＰＬＭＮシステム情報ブロック（ＳＩＢ）１９を処理し、
前記ＳＩＢ１９から周波数間及びＰＬＭＮ間発見システム情報取得支援シグナリング情報を取得し、
前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理し、
前記非サービングＰＬＭＮの前記１又は複数の搬送波周波数の周波数間及びＰＬＭＮ間発見宣言レート情報及び監視制御構成情報を識別して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにし、
前記周波数間及びＰＬＭＮ間発見宣言レート情報及び監視制御構成情報を用い、
Ｋは１より大きい正整数であり、前記ＵＥが複数の搬送波周波数のうちの１つの中で構成される発見プールのＫ番目の期間毎に送信できるように、前記非サービングＰＬＭＮの前記１又は複数の搬送波周波数での発見メッセージの送信のための送信（ＴＸ）発見プール、
既存の発見プール構成の一番上にある周波数間発見宣言又は監視のための時間間隔であって、前記時間間隔は、ＰＬＭＮアイデンティティに依存する、時間間隔、
を構成する、よう構成される１又は複数のプロセッサ及びメモリを有する装置。
【請求項２】
前記周波数間及びＰＬＭＮ間発見システム情報取得支援シグナリング情報は、搬送波帯域幅と、電力情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報を有する、請求項１に記載の装置。
【請求項３】
前記周波数間及びＰＬＭＮ間発見システム情報取得支援シグナリング情報は、周波数間及びＰＬＭＮ間発見の時間ウインドウに関する情報を有する、請求項１又は２に記載の装置。
【請求項４】
前記１又は複数のプロセッサ及びメモリは、受信後に、帯域幅と電力とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、請求項１に記載の装置。
【請求項５】
前記周波数間及びＰＬＭＮ間発見宣言レート情報及び監視制御構成情報は、前記サービングＰＬＭＮによりサービスされる複数のセル周波数のリソースプール構成と、前記非サービングＰＬＭＮの前記１又は複数の搬送波周波数のＳＩＢ１９スケジューリング情報と、を有するＰＬＭＮ間発見宣言又は監視のための完全な発見構成情報を提供する、請求項１又は４に記載の装置。
【請求項６】
前記周波数間及びＰＬＭＮ間発見宣言レート情報及び監視制御構成情報は、複数のセル周波数に渡り、前記サービングＰＬＭＮによりサービスされる複数のセル周波数のリソースプール構成とサービングセルに対して異なるセル周波数で送信されるＳＩＢ１９を取得するためにサービングセル周波数に対する時間ウインドウとを有し、複数のＰＬＭＮについて前記周波数間及びＰＬＭＮ間発見宣言レート情報及び監視制御構成情報に関する情報を交換するためのブロードキャストされた周波数間リストＸ２シグナリングの中の複数の周波数間のうちの１つにおける前記周波数間及びＰＬＭＮ間発見宣言レート情報及び監視制御構成情報の変化を示す、ＰＬＭＮ間発見宣言又は監視のための完全な発見構成情報を提供する、請求項１又は４に記載の装置。
【請求項７】
前記１又は複数のプロセッサ及びメモリは、
１又は複数の非サービングＰＬＭＮの各セル搬送波周波数の前記サービングＰＬＭＮのサービングセルに地理的に近く及びＰＬＭＮ識別（ＩＤ）及び物理セルＩＤ（ＰＣＩＤ）によりインデックス付けされた非サービングセルのリストのために、前記周波数間及びＰＬＭＮ間発見宣言レート情報及び監視制御構成情報を用い、
前記サービングＰＬＭＮにより制御されるサービングセル周波数の中の特定プールのＳＩＢ１９の中の前記ＵＥの宣言レート、
前記サービングセル周波数のＳＩＢ１９の周波数リストの中のＰＬＭＮ間発見宣言レート情報、又は
周波数間及びＰＬＭＮ間発見のための専用発見プール又はサブプール、
を構成する、よう更に構成される、請求項６に記載の装置。
請求項１又は７に記載の装置。
【請求項８】
前記装置は、アンテナ、タッチ感応ディスプレイスクリーン、スピーカ、マイクロフォン、グラフィックプロセッサ、アプリケーションプロセッサ、内部メモリ、不揮発性メモリポート及びそれらの組合せのうちの少なくとも１つを有する、請求項１に記載の装置。
【請求項９】
ユーザ機器（ＵＥ）の装置であって、前記ＵＥは、周波数間及び公衆地上移動体通信網（ＰＬＭＮ）間発見を実行するよう構成され、前記装置は、
前記ＵＥのサービングＰＬＭＮの搬送波周波数の、ｅＮｏｄｅＢから受信した、サービングＰＬＭＮシステム情報ブロック（ＳＩＢ）１９を処理し、
前記ＳＩＢ１９から周波数間及びＰＬＭＮ間発見システム情報取得支援シグナリング情報を取得し、
前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにし、
前記周波数間及びＰＬＭＮ間発見宣言レート情報及び監視制御構成情報を用い、
Ｋは１より大きい正整数であり、複数の搬送波周波数のうちの１つの中で構成される発見プールのＫ番目の期間毎に前記ＵＥが送信できるように、前記非サービングＰＬＭＮの前記１又は複数の搬送波周波数での発見メッセージの送信のための送信（ＴＸ）発見プール、又は
既存の発見プール構成の一番上にある周波数間発見宣言又は監視のための時間間隔であって、前記時間間隔はＰＬＭＮアイデンティティに依存する、時間間隔、
を構成する、よう構成される１又は複数のプロセッサ及びメモリを有する装置。
【請求項１０】
前記１又は複数のプロセッサ及びメモリは、前記非サービングＰＬＭＮの前記１又は複数の搬送波周波数の周波数間及びＰＬＭＮ間発見宣言レート情報及び監視制御構成情報を識別するよう更に構成される、請求項９に記載の装置。
【請求項１１】
前記周波数間及びＰＬＭＮ間発見システム情報取得支援シグナリング情報は、搬送波帯域幅と、電力制御情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報を有する、請求項９又は１０に記載の装置。
【請求項１２】
前記周波数間及びＰＬＭＮ間発見システム情報取得支援シグナリング情報は、周波数間及びＰＬＭＮ間発見の時間ウインドウに関する情報を有する、請求項９に記載の装置。
【請求項１３】
前記１又は複数のプロセッサ及びメモリは、受信後に、帯域幅と電力制御情報とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、請求項９又は１２に記載の装置。
【請求項１４】
前記周波数間及びＰＬＭＮ間発見システム情報取得支援シグナリング情報は、前記サービングＰＬＭＮによりサービスされる複数のセル周波数のリソースプール構成と、前記非サービングＰＬＭＮの前記１又は複数の搬送波周波数のＳＩＢ１９スケジューリング情報と、を有するＰＬＭＮ間発見宣言又は監視のための完全な発見構成情報を提供する、請求項１３に記載の装置。
【請求項１５】
周波数間及びＰＬＭＮ間発見システム情報取得支援シグナリング情報は、複数のセル周波数に渡り、前記サービングＰＬＭＮによりサービスされる複数のセル周波数のリソースプール構成と、サービングセルに対して異なるセル周波数で送信されるＳＩＢ１９を取得するためにサービングセル周波数に対する時間ウインドウと、を有し、複数のＰＬＭＮについて前記周波数間及びＰＬＭＮ間発見宣言レート情報及び監視制御構成情報に関する情報を交換するためのブロードキャストされた周波数間リストＸ２シグナリングの中の複数の周波数間のうちの１つにおける前記周波数間及びＰＬＭＮ間発見宣言レート情報及び監視制御構成情報の変化を示す、ＰＬＭＮ間発見宣言又は監視のための完全な発見構成情報を提供する、請求項９又は１４に記載の装置。
【請求項１６】
前記１又は複数のプロセッサ及びメモリは、１又は複数の非サービングＰＬＭＮの各々のセル搬送波周波数について、前記サービングＰＬＭＮのサービングセルに地理的に近く及びＰＬＭＮ識別（ＩＤ）及び物理セルＩＤ（ＰＣＩＤ）によりインデックス付けされた非サービングセルのリストのために前記周波数間及びＰＬＭＮ間発見宣言レート情報及び監視制御構成情報を用いる、よう更に構成される、請求項９に記載の装置。
【請求項１７】
前記１又は複数のプロセッサ及びメモリは、前記周波数間及びＰＬＭＮ間発見宣言レート情報及び監視制御構成情報を用い、
前記サービングＰＬＭＮにより制御されるサービングセル周波数の中の特定プールのＳＩＢ１９の中の前記ＵＥの宣言レート、
前記サービングセル周波数のＳＩＢ１９の周波数リストの中のＰＬＭＮ間発見宣言レート情報、又は
周波数間及びＰＬＭＮ間発見のための専用発見プール又はサブプール、
を構成する、よう更に構成される、請求項９又は１６に記載の装置。
【請求項１８】
前記１又は複数のプロセッサ及びメモリは、ＰＬＭＮアイデンティティの関数として、送信確率、発見宣言レート、専用発見プール、及び周波数間発見宣言のための時間期間の構成を用いるよう更に構成される、請求項９に記載の装置。
【請求項１９】
前記１又は複数のプロセッサ及びメモリは、
複数の搬送波周波数に渡る発見宣言のためにＰＬＭＮアイデンティティ独立スケジューリングを用いて、ＰＬＭＮ間発見宣言及び監視を実行し、
複数の異なるアイデンティティのうちの１又は複数に基づき、発見宣言及び発見監視間隔のランダム化を用いて、ＰＬＭＮ間発見宣言及び監視を実行し、又は
復調参照信号（ＤＭＲＳ）シーケンス、ＤＭＲＳ直交カバーコードシーケンス、ＤＭＲＳ巡回シフト、発見プール内の発見ホッピング、ＰＬＭＮアイデンティティの関数である発見信号物理構造、又はそれらの組合せを有する発見シグナリングの物理構造を用いる、
よう更に構成される、請求項９に記載の装置。
【請求項２０】
ｅＮｏｄｅＢの装置であって、前記ｅＮｏｄｅＢは、周波数間及び公衆地上移動体通信網（ＰＬＭＮ）間発見を実行するためにユーザ機器（ＵＥ）を支援するよう構成され、前記装置は、
前記ＵＥへの送信のために、前記ＵＥのサービングＰＬＭＮの搬送波周波数の、サービングＰＬＭＮシステム情報ブロック（ＳＩＢ）１９を処理して、前記ＵＥが前記ＳＩＢ１９から周波数間及びＰＬＭＮ間発見システム情報取得支援シグナリング情報を取得できるようにし、
前記ＵＥへの送信のために、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記ＵＥが前記非サービングＰＬＭＮの前記１又は複数の搬送波周波数の周波数間及びＰＬＭＮ間発見宣言レート情報及び監視制御構成情報を識別でき、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにし、
前記周波数間及びＰＬＭＮ間発見宣言レート情報及び監視制御構成情報を用い、
Ｋは１より大きい正整数であり、前記ＵＥが複数の搬送波周波数のうちの１つの中で構成される発見プールのＫ番目の期間毎に送信できるように、前記非サービングＰＬＭＮの前記１又は複数の搬送波周波数での発見メッセージの送信のための送信（ＴＸ）発見プール、
既存の発見プール構成の一番上にある周波数間発見宣言又は監視のための時間間隔であって、前記時間間隔は、ＰＬＭＮアイデンティティに依存する、時間間隔、
を構成する、よう構成される１又は複数のプロセッサ及びメモリを有する装置。
【請求項２１】
前記１又は複数のプロセッサ及びメモリは、１又は複数の非サービングＰＬＭＮから又は１又は複数の非サービングセルから受信した前記周波数間及びＰＬＭＮ間発見システム情報取得支援シグナリング情報を処理するよう更に構成される、請求項２０に記載の装置。
【請求項２２】
前記周波数間及びＰＬＭＮ間発見システム情報取得支援シグナリング情報は、前記ＵＥが、前記周波数間及びＰＬＭＮ間発見宣言レート情報及び監視制御構成情報に従い、前記非サービングＰＬＭＮの中のＵＥと装置間（Ｄ２Ｄ）発見を実行できるようにする、請求項２０に記載の装置。
【発明の詳細な説明】
【背景技術】
【０００１】
無線モバイル通信技術は、種々の規格及びプロトコルを用いて、ノード（例えば、送信局）と無線装置（例えば、モバイル装置）との間でデータを伝送する。幾つかの無線装置は、ダウンリンク（ＤＬ）送信でＯＦＤＭＡ（orthogonal  frequency−division  multiple  access）を、アップリンク（ＵＬ）及びサイドリンク（sidelink：ＳＬ）送信でＳＣ−ＦＤＭＡ（single  carrier  frequency  division  multiple  access）を用いて通信する。信号送信のためにＯＦＤＭ（orthogonal  frequency−division  multiplexing）を用いる規格及びプロトコルは、３ＧＰＰ（third  generation  partnership  project）ＬＴＥ（long  term  evolution）、ＷｉＭＡＸ（Worldwide  interoperability  for  Microwave  Access）として業界団体に一般に知られているＩＥＥＥ（Institute  of  Electrical  and  Electronics  Engineers）８０２．１６標準（例えば、８０２．１６ｅ、８０２．１６ｍ）、及びＷｉＦｉとして業界団体に一般に知られているＩＥＥＥ８０２．１１標準を含む。
【０００２】
３ＧＰＰ  ＲＡＮ（radio  access  network）ＬＴＥシステムでは、ノードは、Ｅ−ＵＴＲＡＮ（Evolved  Universal  Terrestrial  Radio  Access  Network）ＮｏｄｅＢ（evolved  Node  B、enhanced  Node  B、eNodeB、又はeNBとしても一般的に表記される）と、ユーザ機器（ＵＥ）として知られる無線装置と通信するＲＮＣ（Radio  Network  Controllers）との組合せであり得る。ダウンリンク（ＤＬ）送信は、ノード（例えば、eNodeB）から無線装置（例えば、ＵＥ）への通信であり得る。また、アップリンク（ＵＬ）送信は、無線装置からノードへの通信であり得る。
【０００３】
さらに、第３世代パートナシッププロジェクト（３rd  generation  partnership  project：３ＧＰＰ）ロングタームエボリューション（long  term  evolution：ＬＴＥ）リリース１２では、装置間（Device  to  device：Ｄ２Ｄ）発見機能が、Ｄ２Ｄサービスを可能にするために導入される。直接Ｄ２Ｄ通信により、ユーザ機器（ＵＥ）は、基地局又はｅＮＢ（evolved  node  B）を有しないで又はその部分的関与を有し、互いに直接通信できる。Ｄ２Ｄ通信に伴う１つの問題は、Ｄ２Ｄサービスを可能にするための装置発見である。さらに、同じ又は異なる公衆地上移動体通信網（public  land  mobile  network：ＰＬＭＮ）の中のＤ２Ｄ通信のための周波数間及びＰＬＭＮ間Ｄ２Ｄ発見において、課題が生じる。
【図面の簡単な説明】
【０００４】
本開示の特徴及び利点は、例として本開示の特徴を共に図示する添付の図面と関連する以下の詳細な説明から明らかである。
【図１】一例によるセル内のモバイル通信ネットワーク及びＤ２Ｄ通信を示す。
【図２】一例による、オペレータにより制御される搬送波の中の特定プールのＳＩＢ１９の中の非サービスＵＥのために宣言を構成する任意的手順を示す。
【図３】一例による、サービング周波数のＳＩＢ１９の周波数リストの中の非サービング宣言レートを構成する任意的手順を示す。
【図４】一例による、非サービスＵＥのための送信（Ｔｘ）リソースプール構成を示す。
【図５】一例による、１又は複数のＵＥを有する装置間（Ｄ２Ｄ）発見のために周波数間及び公衆地上移動体通信網（ＰＬＭＮ）間発見を実行する一例を示す。
【図６】一例による、１又は複数のＵＥを有する装置間（Ｄ２Ｄ）発見のために周波数間及び公衆地上移動体通信網（ＰＬＭＮ）間発見を実行するよう動作するユーザ機器（ＵＥ）の機能を示す。
【図７】一例による、１又は複数のＵＥを有する装置間（Ｄ２Ｄ）発見のために周波数間及び公衆地上移動体通信網（ＰＬＭＮ）間発見を実行するよう動作するユーザ機器（ＵＥ）の追加機能を示す。
【図８】一例による、１又は複数のＵＥを有する装置間（Ｄ２Ｄ）発見のために周波数間及び公衆地上移動体通信網（ＰＬＭＮ）間発見を実行するために、ユーザ機器（ＵＥ）を支援するよう動作するｅＮｏｄｅＢの追加機能を示す。
【図９】一例による、無線装置（例えば、ＵＥ）の図を示す。
【図１０】一例による、ユーザ機器（ＵＥ）の例示的コンポーネントの図を示す。
【図１１】一例による、ノード（例えば、ｅＮＢ）及び無線装置（例えば、ＵＥ）の図を示す。  以下では、図示の例示的な実施形態を参照し、本願明細書ではそれらを説明するために固有の言語が用いられる。しかしながら、それにより本技術の範囲の如何なる限定も意図されないことが理解されるだろう。
【発明を実施するための形態】
【０００５】
本技術が開示され説明される前に、本技術は本願明細書に開示される特定の構造、処理ステップ又は材料に限定されず、関連分野の当業者により認識されるように、それらの等価物にまで拡張されることが理解されるべきである。本願明細書で用いられる用語は、特定の例を説明することのみを目的としており、限定を目的としていないことが理解されるべきである。異なる図中の同じ参照符号は、同じ要素を表す。フローチャート及び処理中に提供される数値は、ステップ及び動作を説明する際に明確性のために提供されるものであり、必ずしも特定の順序又は配列を示さない。
【０００６】
＜例示的な実施形態＞
以下に、技術的実施形態の最初の概略が提供され、次に特定の技術的実施形態が詳細に説明される。この最初の概要は、読者が技術をより迅速に理解するのを助けることを目的としており、技術の主要な特徴又は基本的特徴を特定することを意図せず、あるいは請求される主題の範囲を限定することを意図しない。
【０００７】
一態様では、３ＧＰＰ無線アクセスネットワーク（ＲＡＮ）ＬＴＥシステムは、複数のｅＮＢ（evolved  Node−B）を含み且つユーザ機器（ＵＥ）とも称される複数の移動局と通信できるＥ−ＵＴＲＡＮ（evolved  universal  terrestrial  radio  access  network）を含み得る。Ｅ−ＵＴＲＡＮの無線プロトコルスタックは、無線リソース制御レイヤ（radio  resource  control：RRC）、パケットデータコンバージェンスプロトコルレイヤ（packet  data  convergence  protocol：PDCP）、無線リンク制御レイヤ（radio  link  control：RLC）、媒体アクセス制御レイヤ（medium  access  control：MAC）及び物理レイヤ（PHY）を含み与えられる。
【０００８】
第３世代パートナシッププロジェクト（３rd  generation  partnership  project：３ＧＰＰ）ロングタームエボリューション（long  term  evolution：ＬＴＥ）リリース１２では、装置間（Device  to  device：Ｄ２Ｄ）発見機能が、Ｄ２Ｄサービスを可能にするために定義される。直接Ｄ２Ｄ通信（例えば、「サイドリンク直接通信」）により、ユーザ機器（ＵＥ）は、基地局又はｅＮＢ（evolved  node  B）を有しないで又はその部分的関与を有し、１又は複数のＤ２Ｄ  ＵＥと直接通信できる。サイドリンク物理チャネルは、同期関連信号、並びに物理サイドリンクブロードキャストチャネル（physical  sidelink  broadcast  channel：ＰＳＢＣＨ）、物理サイドリンク発見チャネル（physical  sidelink  discovery  channel：ＰＳＤＣＨ）を用いて装置間発見、物理サイドリンク共有チャネル（physical  sidelink  shared  channel：ＰＳＳＣＨ）を用いて装置間通信（例えば、音声サービス）データ、及び物理サイドリンク制御チャネル（physical  sidelink  control  channel：ＰＳＣＣＨ）を用いて制御シグナリングに関する情報を伝達できる。サイドリンク物理チャネルの機能は、１対１（例えば１：１）又は１対多（例えば１：多）Ｄ２Ｄ通信におけるような、Ｄ２Ｄ発見及びＤ２Ｄ通信を可能にできる。
【０００９】
一態様では、ＵＥは、ＲＲＣ＿ＩＤＥＬのときサービングセル（例えば、競合セル）で又はＲＲＣ＿ＣＯＮＮＥＣＴＥＤのときＰＣｅｌｌでのみ、サイドリンク（つまり、装置間、又はＤ２Ｄ）発見メッセージを宣言できる。受信のために、ＵＥは、サービングセル周波数の中の発見リソース、及び同じ又は異なる公衆地上移動体通信網（ＰＬＭＮ）の中の他の周波数を監視できる。周波数間発見のためにサービングセルは、特定周波数において近隣セルで使用される発見リソースプールの完全な構成を提供できる。周波数間の例では、ｅＮＢは、Ｄ２Ｄが有効である周波数リストを提供でき、一方で、発見リソースプール構成、及びしたがって他の送信パラメータは、搬送波周波数毎に対応する周波数で送信されるシステム情報ブロック１９（ＳＩＢ１９）のようなシステム情報ブロックを通じてＵＥにより取得されると想定できる。
【００１０】
一態様では、拡張Ｄ２Ｄ発見サポートは、複数の搬送波及びＰＬＭＮが存在する場合に提供され得る。拡張Ｄ２Ｄ発見は、非サービング搬送波及び／又はサービングセルと同じ及び／又は異なるＰＬＭＮに属するセカンダリセルの中でＤ２Ｄ送信を可能にできる。したがって、Ｄ２Ｄ発見は、複数搬送波上の送信をサポートするために拡張できる。さらに、拡張Ｄ２Ｄ発見は、複数搬送波に渡るＤ２Ｄ発見受信を簡略化できる。しかしながら、非サービング搬送波及び／又はサービングセルと同じ及び／又は場合によっては異なるＰＬＭＮに属するセカンダリセルにおけるＤ２Ｄ発見サポートを拡張するために、以下の課題及びパラメータが検討される。（１）Ｄ２Ｄ発見構成パラメータの取得、（２）複数搬送波における発見宣言及び監視、及び（３）Ｕｕ送信及び受信の観点でＵｕインタフェースに与える影響の最小化、である。
【００１１】
したがって、本発明の技術は、上述の問題を解決する、拡張された周波数間及びＰＬＭＮ間Ｄ２Ｄ発見のためのソリューションを提供する。提案のソリューションは、周波数間発見構成情報の取得を簡略化し、（異なるオペレータに属する異なる搬送波における）異なるＵＥローディングを扱うためにＰＬＭＮ発見宣言レートを制御し、Ｕｕ（無線）インタフェースに与える影響を最小化する。
【００１２】
一態様では、本発明の技術は、周波数間及びＰＬＭＮ間発見を可能にし及び改良するために、追加ＲＲＣシグナリングを導入する。先ず、非サービングＳＩＢ１９構成は、取得支援メッセージの使用により取得できる。取得支援メッセージは、ＵＥとサービングｅＮＢとの間のＲＲＣシグナリングを用いて送信できる。次に、送信レートは、オペレータ（つまりＰＬＭＮ）の間で知られており且つ調整され得るより上位のパラメータ（例えば、宣言レートシグナリング、又は送信ウインドウ）を構成することにより、非サービング周波数／ＰＬＭＮ上で制御できる。宣言レートは、非サービング送信のための発見リソースプール構成毎に明示的にシグナリングされ又は黙示的に構成され得る。
【００１３】
一態様では、周波数間及びＰＬＭＮ間発見は、発見監視（受信）のみが追加的に実行できる、周波数及びＰＬＭＮリストを提供することにより、実行できる。また、一態様では、発見宣言（送信）も提供できる。非サービング搬送波上の発見宣言は、送信及び受信のための非サービングＳＩＢ１９構成を用いることにより可能にできる。しかしながら、この例では、サービング搬送波内の非サービスＵＥ（例えば、他のオペレータ（ＰＬＭＮ）によりサービスされるＵＥ）の送信は、制御可能ではなく、現在の搬送波／ＰＬＭＮ上で満足できない発見性能をもたらし得る。例えば、オペレータＡによりサービスされるＵＥの量がオペレータＢによりサービスされるＵＥの量を超える場合、搬送波Ｂ上でのオペレータＡに属する端末の発見宣言は、オペレータＢによりサービスされる端末の中で成功発見レートを有意に低下させ、オペレータＢは、送信を制御する能力を有しない場合がある。
【００１４】
一態様では、本発明の技術は、ｅＮＢ及びオペレータ／ＰＬＭＮが送信レート及び非サービスＵＥからの干渉負荷を制御することを可能にするために、ＲＲＣシグナリングメッセージを使用する。さらに、発見送信及び受信間隔のＰＬＭＮ間整合は、発見性能を向上できる。特に、発見送信及び受信間隔のＰＬＭＮ間整合は、例えば２個のＵＥが、それらが決して同じ周波数で送信し及び受信しないために、互いに発見できないような状況を回避するのに役立ち得る。これを回避するために、ＰＬＭＮ間発見宣言及び／又は監視のスケジューリングが導入され、ＳＩＢ１９  discInterFreqListと一緒に現在送信中のＰＬＭＮ間アイデンティティに依存し得る。「discInterFreqList」は、ＳＩＢ１９に含まれるＡＳＮ．１（abstract  syntax  notation  one）の中のフィールドであり得る。discInterFreqListは、サイドリンク直接発見宣言がサポートされる近隣周波数を示すことができる。
【００１５】
留意すべきことに、発見送信及び受信間隔のＰＬＭＮ間整合に関し、異なるオペレータ（ＰＬＭＮ）の搬送波の中で発見リソースの構成の調整を有しない異なるオペレータ（ＰＬＭＮ）が存在し得る。したがって、送信及び受信リソース（つまり、間隔）は、整合されず、互いに重なり合い、部分的に重なり合い、又は重なり合わない場合がある。一態様では、ＵＥは、別の搬送波の中の発見リソースと直交する周波数間／ＰＬＭＮ間発見のための受信間隔を構成され得る。したがって、ＵＥの監視／受信間隔が別の搬送波におけるＵＥの送信と揃わないので、ＵＥは、別の搬送波から他のＵＥを発見できない。
【００１６】
さらに、周波数間発見は、対応するＳＩＢ１９の取得後にのみ実行できる。取得処理は、ＵＥ受信機からの追加処理を実行し得る。この増大する処理オーバヘッドを削減するために、本発明の技術は、ＲＲＣメッセージを導入し、ＰＬＭＮ間搬送波における発見構成の取得のための時間を削減する。更なる態様では、復調参照信号（demodulation  reference  signals：ＤＭＲＳ）は、ＰＬＭＮアイデンティティ又は搬送波周波数に依存する。
【００１７】
一態様では、本願明細書において提供される技術は、周波数間及び公衆地上移動体通信網（ＰＬＭＮ）間発見の実行を提供し、開示する。ユーザ機器（ＵＥ）は、ｅＮｏｄｅＢから、該ＵＥのサービングＰＬＭＮの搬送波周波数のサービングＰＬＭＮシステム情報ブロック（ＳＩＢ）１９を受信できる。ＵＥは、ＳＩＢ１９から、周波数間及びＰＬＭＮ間発見システム情報取得支援シグナリング情報を取得できる。ＵＥは、周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理できる。ＵＥは、ＵＥが周波数間及びＰＬＭＮ間発見宣言レート情報及び監視制御構成情報に従い非サービングＰＬＭＮの中のＵＥと装置間（Ｄ２Ｄ）発見を実行できるように、非サービングＰＬＭＮの１又は複数の搬送波周波数の周波数間及びＰＬＭＮ間発見宣言レート情報及び監視制御構成情報を識別できる。
【００１８】
一態様では、ユーザ機器（ＵＥ）は、ｅＮｏｄｅＢから、該ＵＥのサービングＰＬＭＮの搬送波周波数のサービングＰＬＭＮシステム情報ブロック（ＳＩＢ）１９を受信できる。ＵＥは、ＳＩＢ１９から、周波数間及びＰＬＭＮ間発見システム情報取得支援シグナリング情報を取得できる。ＵＥは、周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理できる。ＵＥは、ＳＩＢ１９から、周波数間及びＰＬＭＮ間発見システム情報取得支援シグナリング情報を識別できる。ＵＥは、周波数間及びＰＬＭＮ間発見システム情報取得支援シグナリング情報を用いて非サービングＰＬＭＮの１又は複数の搬送波周波数の非サービングＰＬＭＮ  ＳＩＢ１９を処理でき、ＵＥが周波数間及びＰＬＭＮ間発見宣言レート情報及び監視制御構成情報に従い、非サービングＰＬＭＮの中のＵＥと装置間（Ｄ２Ｄ）発見を実行できるようにする。
【００１９】
一態様では、ｅＮｏｄｅＢは、１又は複数の非サービングＰＬＭＮから又は１又は複数の非サービングセルから受信した周波数間及びＰＬＭＮ間発見システム情報取得支援シグナリング情報を処理できる。ｅＮｏｄｅＢは、ＵＥへの送信のために、ＵＥのサービングＰＬＭＮの搬送波周波数のサービングＰＬＭＮシステム情報ブロック（ＳＩＢ）１９を処理でき、ＵＥが周波数間及びＰＬＭＮ間発見システム情報取得支援シグナリング情報をＳＩＢ１９から取得できるようにする。ｅＮｏｄｅＢは、ＵＥへの送信のために、周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理でき、ＵＥが非サービングＰＬＭＮの１又は複数の搬送波周波数の周波数間及びＰＬＭＮ間発見宣言レート情報及び監視制御構成情報を識別できるようにして、ＵＥが周波数間及びＰＬＭＮ間発見宣言レート情報及び監視制御構成情報に従い非サービングＰＬＭＮの中のＵＥと装置間（Ｄ２Ｄ）発見を実行できるようにする。
【００２０】
図１は、ｅＮＢ（evolved  node  B）を有するセル１００内の、モバイル装置を有するモバイル通信ネットワークを示す。図１は、アンカーセル、マクロセル又はプライマリセルに関連付けられ得るｅＮＢ１０４を示す。また、セル１００は、例えば、ｅＮＢ１０４と通信可能なユーザ機器（ＵＥ又は複数のＵＥ）１０８のようなモバイル装置を含み得る。ｅＮＢ１０４は、ＵＥ１０８と通信する局であり、基地局、ノードＢ、アクセスポイント、等としても参照され得る。ｅＮＢ１０４は、カバレッジ及び接続性のために、マクロｅＮＢのような高送信電力ｅＮＢであり得る。ｅＮＢ１０４は、モビリティを担うことができ、無線リソース制御（radio  resource  control：ＲＲＣ）シグナリングも担うことができる。ユーザ機器（ＵＥ又は複数のＵＥ）１０８は、マクロｅＮＢ１０４によりサポートされ得る。ｅＮＢ１０４は、特定の地理的領域に通信カバレッジを提供できる。３ＧＰＰでは、用語「セル」は、用語が使用される文脈に依存して、ｅＮＢの特定の地理的カバレッジエリア及び／又はカバレッジエリアにサービスするｅＮＢサブシステムを表し得る。
【００２１】
一態様では、装置間（Ｄ２Ｄ）通信が実行できる。例えば、ＵＥ１０８は、ＵＥ１１０とＤ２Ｄ通信を実行できる。一態様では、ＵＥ１０８は送信側ＵＥ（ＴｘＵＥ）と考えられ、ＵＥ１１０は受信側ＵＥ（ＲｘＵＥ）と考えられ、逆も同様である。一態様では、ＵＥ１０８、１１０は、両方とも、セル１００の中のサービングＵＥであり得る。一態様では、ＵＥ１０８は、セル１００の中のサービングＵＥ（例えば、サービングセル）であり、ＵＥ１１０は、セル１００の外部に位置する（例えば、サービングセル１００の近隣セルであり得る非サービングセル内に位置する）非サービングＵＥであり得る。
【００２２】
＜拡張された周波数間及びＰＬＭＮ間ＳＩＢ１９取得＞
一態様では、Ｄ２Ｄ発見送信（宣言）は、サービング搬送波に限定され得る。一方で、Ｄ２Ｄ発見受信（監視）は複数搬送波に跨り行われ得る。しかしながら、非サービング搬送波上で発見信号を受信するために、ＵＥは、非サービング搬送波上のＳＩＢ１９を読み取り、Ｄ２Ｄ発見構成パラメータを取得するよう構成され得る。しかしながら、この手順は、ＵＥが非サービング搬送波に同期し、マスタ情報ブロック（master  information  block：ＭＩＢ）、システム情報ブロック１（system  information  block  １：ＳＩＢ１）を読み取り、及びＳＩＢスケジューリング情報を抽出し及びＳＩＢ１９を読み取る場合があるので、長時間続き得る（例えば５秒より長く、例えば、別の搬送波内のＳＩＢ１９の読み取りは粗悪な信号品質の場合に最大〜５秒又はそれ以上続く場合がある）。この手順は、サービング及び非サービング搬送波の間の受信（ＲＸ）チェーンの複数のスイッチを使用し得るが、発見構成設定を取得するために電力消費及び時間を増大し得る。
【００２３】
一態様では、単一のオペレータが複数の搬送波をサービスする場合、同じオペレータに属する複数搬送波上のＤ２Ｄ発見情報の取得が実行できる。一態様では、オペレータは、搬送波間の発見リソースを完全に制御できる。したがって、ｅＮＢは、１又は複数の搬送波の発見リソース構成に関する完全な情報を有し得る。さらに、オペレータは、例えば発見待ち時間を短縮する及び／又は端末電力消費を低減するような、特定のＤ２Ｄ発見メトリックを最適化する方法で、複数搬送波上のリソースを構成する自由度を有し得る。一態様では、同じオペレータの複数搬送波からの発見情報の取得を簡略化するために、ｅＮＢは、周波数間発見構成パラメータをＳＩＢ１９に追加することにより又は任意の追加ＲＲＣシグナリングを導入することにより、この情報をＵＥに直接通知できる。
【００２４】
一態様では、異なるオペレータが異なる搬送波をサービスする場合、デフォルトで、周波数間発見構成は利用可能ではない。しかしながら、周波数間発見構成情報は、サービング搬送波上で共有されることが期待される場合、オペレータ間で交換されて良い。留意すべきことに、オペレータは、一部の情報のみを交換できる。例えば、一態様では、ＳＩＢ１９の送信タイミングは、ＵＥが切り替えを実行するとき、ＳＩＢ１を処理し及びＳＩＢ１９を待機することなく、ＵＥが送信タイミングを検出できるように、直接示され得る。
【００２５】
同じ又は異なるオペレータの両方の場合に、取得支援シグナリングが、効率的な周波数間発見のために実行できる。一態様では、小サイズ（例えば完全なＳＩＢ１９より１０又は１０倍小さい）支援情報シグナリングが、サービングセルのＳＩＢ１９の中に置かれ得る。つまり、支援情報は、別のＰＬＭＮ／搬送波の全ての又は完全なＳＩＢ１９と比べて（例えば、１０又は１００倍のように）遙かに小さい。
【００２６】
例えば、小サイズ支援情報シグナリングは、ＳＩＢ１９の中で伝達される完全な発見リソース構成情報が多くのバイトを要し得るので、サービングセルのＳＩＢ１９の中に置かれ得る。一態様では、周波数間発見のための支援を提供するために、以下の選択肢が使用されて良い。
【００２７】
［オプション１］
一態様では、本発明の技術は、周波数間システムスケジューリング情報を提供する。例えば、周波数間システムスケジューリング情報は、帯域幅、電力、システム情報無線ネットワーク一時識別子（system  information  radio  network  temporary  identifier：ＳＩ−ＲＮＴＩ）、ＳＩＢ１及びＳＩＢ１９スケジューリング情報を含み得る。オプション１は、周波数間発見ＵＥが、非サービングセルの幾つかの処理ステップをスキップし、このスケジューリング情報を用いてＳＩＢ１９を直接取得できるようにする。
【００２８】
［オプション２］
一態様では、本発明の技術は、非サービング搬送波の中のＳＩＢ１９取得を支援するために、時間ウインドウに関する情報を提供する。この情報は、異なる搬送波からのセルが同期化され、無限クロックドリフトが存在しない場合、直接適用できる。つまり、３ＧＰＰ  ＬＴＥのようなＯＦＤＭＡ通信システムにおいて達成されるべき通信のために、ＵＥはｅＮＢと同期する。言い換えると、ｅＮＢは、支援オプションを使用可能にできる幾つかのエラー境界の範囲内で同期化され得る。したがって、他のＰＬＭＮの中の非サービングｅＮＢと通信するＵＥでは、ＵＥは、非サービングｅＮＢと同期化され、又は非サービングｅＮＢはサービングｅＮＢと同期化され得る。非同期セル／搬送波の場合には、クロックドリフト効果を補償し及びＵＥと定期的に通信するために、情報は、Ｘ２アプリケーションプロトコル（X２  application  protocol：Ｘ２ＡＰ）インタフェースを介して周期的に交換されて良い。さらに、サービングｅＮＢは、ＰＬＭＮ間周波数上の構成パラメータが更新された場合（発見変更通知）、１又は複数のＵＥにシグナリングする（例えば、専用ＲＲＣ再構成情報をシグナリングする）。
【００２９】
［オプション３］
一態様では、本発明の技術は、異なる搬送波からのセルが同一位置にない場合、（少なくとも非サービング搬送波において）非同期展開の場合に、ＳＩＢスケジューリングのための時間ウインドウに関するスケジューリング情報が非サービング搬送波の異なるセルにおいて異なり得ることを提供する。
【００３０】
一態様では、本発明の技術は、サービングＰＬＭＮのサービング又は競合セルの地理的近傍にある非サービング搬送波上の近隣セルセットについて、（支援情報コンテンツに関して）オプション１又はオプション２に従う取得支援シグナリングを示すソリューションを提供する。特に、非サービング搬送波上の近隣セルセットは、近隣セルのＰＬＭＮ  ＩＤ及び物理セルＩＤのセットによりインデックス付けされ、セルの各々の対応する取得支援情報は、サービング搬送波のサービング又は競合セルにより提供され得る。
【００３１】
＜非サービングＰＬＭＮ上の拡張された監視及び宣言＞
一態様では、非サービング搬送波上の発見宣言が指定され得る。ＰＬＭＮ間搬送波上の発見宣言をサポートするために、宣言動作を制御するための追加シグナリングが構成され得る。特に、サービングｅＮＢ／搬送波又は非サービングｅＮＢ／搬送波の観点からこのような送信を制御する能力が導入され得る。
【００３２】
＜サービングｅＮＢ／ＰＬＭＮの観点からのＵＥ送信の制御＞
ＵＥは限られた送信能力（例えば、単一の送信（ＴＸ）及び／又は単一の受信（ＲＸ）チェーン）を有し得るので、非サービング搬送波内の発見宣言、監視は、別の搬送波への切り替えに起因する中断期間を導入し得る。ＲＡＮ４研究によると、１つの搬送波から別の搬送波に合わせるために最大１ｍｓの中断を消費し得る。
【００３３】
＜非サービングｅＮＢ／ＰＬＭＮの観点からのＵＥ送信の制御＞
留意すべきことに、各搬送波上の発見プールは、発見に関心のある異なる量のユーザにより異なる量のリソース及び異なる輻輳状況を有し得る。オペレータは、他のオペレータからの端末のための最大発見送信レートを制御することも望み得る。他のオペレータからの端末のための最大発見送信レートを制御することは、各オペレータによりサービスされるＤ２Ｄ発見の可能なＵＥの量、及びオペレータがＤ２Ｄ発見動作に喜んで割り当てるリソース量に依存し得る。
【００３４】
この目的のために、非サービング（例えば「他の」又は不明な）ＵＥに固有の発見パラメータは、ＳＩＢ１９の新しいフィールドの中でシグナリングされ得る。特に、非サービング周波数／ＰＬＭＮ宣言レートは、ＳＩＢ１９の中の専用フィールドを通じて構成可能であって良い。宣言レートは、周波数間発見情報に関連するサービングＳＩＢ１９シグナリングの一部であり、又は非サービング周波数のＳＩＢ１９に格納されるリソースプール構成の中で指定できる。
【００３５】
一態様では、本願明細書に定められる１又は複数の幾つかのオプションは、発見送信レートを制御する。
【００３６】
［オプション１］
一態様では、送信確率は、非サービング搬送波上で使用され得る。つまり、送信確率は、現在の発見期間の中で宣言メッセージを送信するために構成され得る。
【００３７】
（オプション１ａ）
一態様では、図２に示すように、宣言レートは、オペレータにより制御される搬送波の中の特定リソースプールのＳＩＢ１９の中で非サービスＵＥのために構成され得る。宣言レートは、オペレータにより制御される搬送波内の特定プールのＳＩＢ１９の中で非サービスＵＥのために構成され得る。例えば、擬似コードに示すように、送信確率（例えば擬似コードの「TxProbability」）は、リソースプールにより構成されるとき、発見期間の中で宣言（例えば、宣言発見信号）を送信する確率として定義できる。また、非サービング送信確率（例えば、擬似コードの「nonServingTxProbability」）は、非サービング搬送波内で送信するとき、リソースプールにより構成されるとき、発見期間の中で発見宣言を送信する確率を示すとして定義できる。一態様では、発見宣言レートが異なるＰＬＭＮに対して異なるように、宣言を送信する確率は、ＰＬＭＮアイデンティティと関連付けることができる。
【００３８】
（オプション１ｂ）
一態様では、図３に示すように、ＳＩＢ１９は、追加情報要素により構成できる。つまり、図３の擬似コードで、非サービング宣言レートは、サービング搬送波のＳＩＢ１９の周波数リストの中で構成できる。例えば、ＳＩＢ１９情報要素の擬似コードで示すように、宣言レート（例えば擬似コードの「PLMN−AnnouncementRateInfo−r１３」）は、現在のＰＬＭＮに対応する現在の非サービング搬送波の中の発見の送信確率として定義できる。
【００３９】
一態様では、オプション１ｂは、新しい「plmn−AnnouncementRateList−r１３」フィールド（例えば、宣言レート）を用いてサービングセルのＳＩＢ１９に送信確率を含めるために、ＡＳＮ．１（abstract  syntax  notation  one）がどのように変更できるかを示す。
【００４０】
（オプション１ｃ）
一態様では、優先度リストは、discInterFreqList又はplmnIdentityListの中の順序に従い、周波数間宣言及び周波数間発見監視のために構成され得る。「plmnIdentityList」は、搬送波周波数により示される近隣周波数のＰＬＭＮアイデンティティのリストであり得る。フィールドが存在しないことは、システム情報ブロックタイプ１の中のplmn−IdentityList（サフィックス無し）にリストされたものと同じＰＬＭＮアイデンティティを示す。言い換えると、plmnIdentityListは「discInterFreqList」の一部であり、リスト全体は、発見宣言がサポートされる周波数及びＰＬＭＮを示す。つまり、オプション１ｃは、各搬送波周波数及び／又はＰＬＭＮに対応する優先度リストを用いて、幾つかの周波数及び／又はＰＬＭＮ内の宣言及び監視を優先順位付けする。したがって、（例えば、リソースプールが重なり合う場合）より高い優先度を有する周波数及び／又はＰＬＭＮは、より高い確率を有する宣言及び監視のために使用できる。
【００４１】
［オプション２］
一態様では、専用発見プール（サブプール）が、非サービスＵＥ（例えば、他のオペレータによりサービスされるＵＥ）からの周波数間／ＰＬＭＮ間発見宣言のために構成され得る。一態様では、非サービスＵＥのための発見送信プールは、サービスＵＥのために利用可能なＴＸ／ＲＸプールの部分又は１つのみであり得る。これは、非サービスＵＥの宣言からの干渉を制御し得る。専用発見プール（例えばサブプール）構成は、図４に示すように、発見周期（例えば、少ない頻度で割り当てられる）、リソースプール構成サブフレームビットマップ、及び／又は周波数リソース割り当てパラメータ、により異なり得る。図４は、非サービスＵＥ（例えば、非サービングＵＥ）のための送信（Ｔｘ）リソースプール構成を示す。
【００４２】
一態様では、サブプール構成は、SL−DiscTxPoolList−r１２の専用フィールドの中でシグナリングされ（例えば、SL−DiscTxPoolList−r１２はサイドリンク直接発見のための個別リソースプールの構成情報リストを指定する）、非サービスＵＥにより復号化され得る。専用フィールドは、オーバヘッド削減のためにサービングプール構成と異なるパラメータセットによってのみ提示され得る。一態様では、同じタイプ１発見リソースプールは、サービスＵＥのために構成され得る。しかしながら、非サービス及び／又は訪問中ＵＥからの送信は、サービスＵＥのために構成されるタイプ１発見リソースプールの「Ｋ」期間毎に許可されるだけである。一態様では、Ｋは正整数であり、「Ｋ」の値は非サービングセルからのＳＩＢ１９の中で示され得る。これは、訪問中ＵＥが、特定リソースプールの他の発見期間内の発見メッセージ送信を監視することを可能にする。つまり、訪問中ＵＥのためのＲＸ発見プールは、サービスＵＥのためのものと同じであり得る。代替で、シグナリングされるＴＸプールのうちの１つは、SL−DiscResourcePool−r１２メッセージコンテナ内部の特定フラグにより、サービング及び非サービング送信で共通であるとしてマークされ得る。
【００４３】
［オプション３］
一態様では、専用電力制御パラメータは、非サービスＵＥからの発見宣言のために構成され得る。これは、非サービスＵＥ宣言の影響を低減する可能性もある。
【００４４】
［オプション４］
一態様では、搬送波の量が大きい（例えば、「discInterFreqList」のサイズに従い最大８個以上の搬送波）場合、ＰＬＭＮ間発見宣言間隔及び／又は期間は、既存の発見プール上で予め構成され得る。ＰＬＭＮ間発見宣言間隔及び／又は期間は、特定搬送波及びＰＬＭＮアイデンティティ及び／又はＵＥアイデンティティに関連付けられ得る。各搬送波におけるＵＥは、特定ＰＬＭＮに属する端末からの発券宣言を期待するとき、認識され得る。ＰＬＭＮ間発見宣言間隔及び／又は期間は、各搬送波上の発見宣言の最大量も制御できる。代替の態様では、非サービスＵＥの最大発見宣言数は、搬送波及びＰＬＭＮ毎に明示的に構成できる。
【００４５】
［オプション５］
留意すべきことに、３ＧＰＰ  ＬＴＥ  Ｒｅｌ．１２では、発見ＤＭＲＳ信号はセルアイデンティティに依存しない。また、共通シーケンス、直交カバーコード（orthogonal  cover  code：ＯＣＣ）、及び巡回シフト（cyclic  shift：ＣＳ）が定められる。これは、結果として、選択された発見リソース上での同一周波数ネットワーク（same  frequency  network：ＳＦＮ）ＤＭＲＳ送信を生じる。したがって、２つの近隣ＵＥが同じリソースを選択した場合、同じＤＭＲＳを用いて推定された合成チャネルのため、ＵＥの各々を発見することが問題になる。したがって＜本発明の技術は、ＯＣＣ、ＣＳ、及びＤＭＲＳシーケンスが、ＰＬＭＮアイデンティティ及び／又はＰＬＭＮとセルアイデンティティとの関数であって良い仮想セルアイデンティティを用いて導出できる拡張されたＰＬＭＮ間ソリューションを提供する。さらに、発見ホッピングパラメータも、ＰＬＭＮアイデンティティに依存し得る。ＰＬＭＮアイデンティティとの関連付けは、発見干渉特性を更にランダム化し、結果として性能向上をもたらす場合がある。
【００４６】
図５は、１又は複数のＵＥを有する装置間（Ｄ２Ｄ）発見のために周波数間及び公衆地上移動体通信網（ＰＬＭＮ）間発見を、ユーザ機器（ＵＥ）により実行するためのフローチャート５００を示す。ブロック５１０で、ＵＥは、周波数間及びＰＬＭＮ間発見に参加する能力を識別できる。ブロック５２０で、ＵＥは、サービング周波数及びＰＬＭＮの中のサービングセルのＳＩＢ１９を受信できる。ブロック５３０で、ＵＥは、周波数間及びＰＬＭＮ間発見システム情報取得支援シグナリングを取得できる。ブロック５３０で、取得支援シグナリングの異なる選択肢が使用できる。ブロック５４０で、ＵＥは、他の周波数及びＰＬＭＮの他のセルのＳＩＢ１９を受信できる。ブロック５５０で、ＵＥは、周波数間及びＰＬＭＮ間宣言及び／又は監視制御構成を取得できる。留意すべきことに、ブロック５５０で、非サービスＵＥの宣言及び／又は監視制御の異なる選択肢が、ブロック５５５０で使用できる。ブロック５６０で、ＵＥは、構成に従い、Ｄ２Ｄ発見に参加できる。
【００４７】
図６は、１又は複数のＵＥを有する装置間（Ｄ２Ｄ）発見のために周波数間及び公衆地上移動体通信網（ＰＬＭＮ）間発見を実行するよう動作するユーザ機器（ＵＥ）の機能６００を示す。機能６００は方法として実施できる。あるいは、機能６００は機械において命令として実行できる。ここで、命令は、少なくとも１つのコンピュータ可読媒体若しくは非一時的機械可読記憶媒体に含まれる。１又は複数のプロセッサ及びメモリは、ブロック６１０で、ｅＮｏｄｅＢから、ＵＥのサービングＰＬＭＮの搬送波周波数のサービングＰＬＭＮシステム情報ブロック（ＳＩＢ）１９を受信するよう構成され得る。ブロック６２０で、１又は複数のプロセッサ及びメモリは、ＳＩＢ１９から周波数間及びＰＬＭＮ間発見システム情報取得支援シグナリング情報を取得するよう構成され得る。ブロック６３０で、１又は複数のプロセッサ及びメモリは、周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理するよう構成され得る。ブロック６４０で、１又は複数のプロセッサ及びメモリは、ＵＥが周波数間及びＰＬＭＮ間発見宣言レート情報及び監視制御構成情報に従い非サービングＰＬＭＮの中のＵＥと装置間（Ｄ２Ｄ）発見を実行できるように、非サービングＰＬＭＮの１又は複数の搬送波周波数の周波数間及びＰＬＭＮ間発見宣言レート情報及び監視制御構成情報を識別するよう構成され得る。
【００４８】
図７は、１又は複数のＵＥを有する装置間（Ｄ２Ｄ）発見のために周波数間及び公衆地上移動体通信網（ＰＬＭＮ）間発見を実行するよう動作するユーザ機器（ＵＥ）の追加機能７００を示す。機能７００は方法として実施できる。あるいは、機能７００は機械において命令として実行できる。ここで、命令は、少なくとも１つのコンピュータ可読媒体若しくは非一時的機械可読記憶媒体に含まれる。１又は複数のプロセッサ及びメモリは、ブロック７１０で、ｅＮｏｄｅＢから、ＵＥのサービングＰＬＭＮの搬送波周波数のサービングＰＬＭＮシステム情報ブロック（ＳＩＢ）１９を受信するよう構成され得る。ブロック７２０で、１又は複数のプロセッサ及びメモリは、ＳＩＢ１９から周波数間及びＰＬＭＮ間発見システム情報取得支援シグナリング情報を取得し及び／又は識別するよう構成され得る。ブロック７３０で、１又は複数のプロセッサ及びメモリは、周波数間及びＰＬＭＮ間発見システム情報取得支援シグナリング情報を用いて非サービングＰＬＭＮの１又は複数の搬送波周波数の非サービングＰＬＭＮ  ＳＩＢ１９を処理するよう構成され、ＵＥが周波数間及びＰＬＭＮ間発見宣言レート情報及び監視制御構成情報に従い、非サービングＰＬＭＮの中のＵＥと装置間（Ｄ２Ｄ）発見を実行できるようにする。
【００４９】
図８は、一例による、１又は複数のＵＥを有する装置間（Ｄ２Ｄ）発見のために周波数間及び公衆地上移動体通信網（ＰＬＭＮ）間発見を実行するために、ユーザ機器（ＵＥ）を支援するよう動作するｅＮｏｄｅＢの追加機能を示す。機能８００は方法として実施できる。あるいは、機能８００は機械において命令として実行できる。ここで、命令は、少なくとも１つのコンピュータ可読媒体若しくは非一時的機械可読記憶媒体に含まれる。ブロック８１０で、１又は複数のプロセッサ及びメモリは、１又は複数の非サービングＰＬＭＮから又は１又は複数の非サービングセルから受信した周波数間及びＰＬＭＮ間発見システム情報取得支援シグナリング情報を処理するよう構成され得る。ブロック８２０で、１又は複数のプロセッサ及びメモリは、ＵＥへの送信のために、ＵＥのサービングＰＬＭＮの搬送波周波数のサービングＰＬＭＮシステム情報ブロック（ＳＩＢ）１９を処理でき、ＵＥが周波数間及びＰＬＭＮ間発見システム情報取得支援シグナリング情報をＳＩＢ１９から取得できるようにする。ブロック８３０で、１又は複数のプロセッサ及びメモリは、ＵＥへの送信のために、周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理するよう構成され、ＵＥが非サービングＰＬＭＮの１又は複数の搬送波周波数の周波数間及びＰＬＭＮ間発見宣言レート情報及び監視制御構成情報を識別できるようにして、ＵＥが周波数間及びＰＬＭＮ間発見宣言レート情報及び監視制御構成情報に従い非サービングＰＬＭＮの中のＵＥと装置間（Ｄ２Ｄ）発見を実行できるようにする。
【００５０】
図９は、ユーザ機器（ＵＥ）、移動局（ＭＳ）、モバイル無線装置、モバイル通信装置、タブレット、ハンドセット、又は他の種類の無線装置のような無線装置の例示的説明を提供する。一態様では、無線装置は、アンテナ、タッチ感応ディスプレイスクリーン、スピーカ、マイクロフォン、グラフィックプロセッサ、ベースバンドプロセッサ、アプリケーションプロセッサ、内部メモリ、不揮発性メモリポート及びそれらの組合せのうちの少なくとも１つを有し得る。
【００５１】
無線装置は、ノード又は基地局（ＢＳ）、ｅＮＢ（evolved  Node  B）、ベースバンドユニット（baseband  unit：ＢＢＵ）、ＲＲＨ（remote  radio  head）、ＲＲＥ（remote  radio  equipment）、中継局（ＲＳ）、無線機器（radio  equipment：ＲＥ）、ＲＲＵ（remote  radio  unit）、ＣＰＭ（central  processing  module）若しくは他の種類の無線広域ネットワーク（wireless  wide  area  network：ＷＷＡＮ）アクセスポイントのような送信局と通信するよう構成される１又は複数のアンテナを有し得る。無線装置は、３ＧＰＰ  ＬＴＥ、ＷｉＭＡＸ、ＨＳＰＡ（High  Speed  Packet  Access）、Ｂｌｕｅｔｏｏｔｈ（登録商標）及びＷｉＦｉを含む少なくとも１つの無線通信規格を用いて通信するよう構成され得る。無線装置は、無線通信規格毎に別個のアンテナを又は複数の無線通信規格のための共有アンテナを用いて通信できる。無線装置は、ＷＬＡＮ（wireless  local  area  network）、ＷＰＡＮ（wireless  personal  area  network）、及び／又はＷＷＡＮ内で通信できる。モバイル装置は、記憶媒体を含み得る。一態様では、記憶媒体は、アプリケーションプロセッサ、グラフィックプロセッサ、ディスプレイ、不揮発性メモリポート、及び／又は内部メモリに関連付けられ及び／又はそれらと通信できる。一態様では、アプリケーションプロセッサ及びグラフィックプロセッサは記憶媒体である。
【００５２】
図１０は、一態様について、ユーザ機器（ＵＥ）装置１０００の例示的なコンポーネントを示す。幾つかの態様では、ＵＥ装置１０００は、少なくとも図示のように一緒に結合される、アプリケーション回路１００２、ベースバンド回路１００４、無線周波数（ＲＦ）回路１００６、フロントエンドモジュール（ＦＥＭ）回路１００８、及び１又は複数のアンテナ１０１０、を含み得る。
【００５３】
アプリケーション回路１００２は、１又は複数のアプリケーションプロセッサを含み得る。例えば、アプリケーション回路１００２は、１又は複数のシングルコア又はマルチコアプロセッサのような回路を有し得るが、これに限定されない。プロセッサは、汎用プロセッサ及び専用プロセッサ（例えば、グラフィックプロセッサ、アプリケーションプロセッサ、等）の任意の組合せを有し得る。プロセッサは、記憶媒体１０１２に結合でき及び／又は含むことができ、システム上で種々のアプリケーション及び／又はオペレーティングシステムを走らせるために記憶媒体１０１２に格納された命令を実行するよう構成され得る。
【００５４】
ベースバンド回路１００４は、１又は複数のシングルコア又はマルチコアプロセッサのような回路を有し得るが、これに限定されない。ベースバンド回路１００４は、ＲＦ回路１００６の受信信号経路から受信されるベースバンド信号を処理するため及びＲＦ回路１００６の送信信号経路へのベースバンド信号を生成するために、１又は複数のベースバンドプロセッサ及び／又は制御ロジックを有し得る。ベースバンド処理回路１００４は、ベースバンド信号の生成及び処理のため、及びＲＦ回路１００６の動作を制御するために、アプリケーション回路１００２とインタフェースできる。例えば、幾つかの態様では、ベースバンド回路１００４は、第２世代（２Ｇ）ベースバンドプロセッサ１００４ａ、第３世代（３Ｇ）ベースバンドプロセッサ１００４ｂ、第４世代（４Ｇ）ベースバンドプロセッサ１００４ｃ、及び／又は既存の世代、開発中の又は将来開発される世代（例えば、第５世代（５Ｇ）、６Ｇ、等）のための他のベースバンドプロセッサ１００４ｄを有し得る。ベースバンド回路１００４（例えば、ベースバンド回路１００４ａ〜ｄのうちの１又は複数）は、ＲＦ回路１００６を介して１又は複数の無線ネットワークとの通信を可能にする種々の制御機能を扱うことができる。無線制御機能は、限定ではないが、信号変調／復調、符号化／復号化、無線周波数シフト、等を有し得る。幾つかの態様では、ベースバンド回路１００４の変調／復調回路は、高速フーリエ変換（ＦＦＴ）、プリコーディング、及び／又はコンステレーションマッピング／デマッピング機能を有し得る。幾つかの態様では、ベースバンド回路１００４の符号化／復号化回路は、畳み込み、テイルバイティング、ターボ、ビタビ、及び／又は低密度パリティ検査（ＬＤＰＣ）エンコーダ／デコーダ機能を有し得る。変調／復調及びエンコーダ／デコーダ機能の態様は、これらの例に限定されず、他の態様において他の適切な機能を含み得る。
【００５５】
幾つかの態様では、ベースバンド回路１００４は、例えば物理（ＰＨＹ）、媒体アクセス制御（ＭＡＣ）、無線リンク制御（ＲＬＣ）、ＰＤＣＰ（packet  data  convergence  protocol）、及び／又は無線リソース制御（ＲＲＣ）要素を含む、例えばＥＵＴＲＡＮ（evolved  universal  terrestrial  radio  access  network）プロトコルの要素のような、プロトコルスタックの要素を含み得る。ベースバンド回路１００４の中央処理ユニット（ＣＰＵ）１００４ｅは、ＰＨＹ、ＭＡＣ、ＲＬＣ、ＰＤＣＰ、及び／又はＲＲＣレイヤのシグナリングのためにプロトコルスタックの要素を実行するよう構成され得る。幾つかの態様では、ベースバンド回路は、１又は複数のオーディオデジタル信号プロセッサ（ＤＳＰ）１００４ｆを有し得る。オーディオＤＳＰ１００４ｆは、圧縮／伸長及びエコーキャンセルのための要素を含み、他の態様では他の適切な処理要素を含み得る。ベースバンド回路のコンポーネントは、単一チップ、単一チップセットに適切に結合でき、又は幾つかの態様では同じ回路基板に配置できる。幾つかの実施形態では、ベースバンド回路１００４及びアプリケーション回路１００２の構成要素うちの一部又は全部は、例えばシステムオンチップ（ＳＯＣ）のように一緒に実装できる。
【００５６】
幾つかの実施形態では、ベースバンド回路１００４は、１又は複数の無線技術と互換性のある通信を提供できる。例えば、幾つかの実施形態では、ベースバンド回路１００４は、ＥＵＴＲＡＮ（evolved  universal  terrestrial  radio  access  network）及び／又は他の無線都市域ネットワーク（ＷＭＡＮ）、無線ローカルエリアネットワーク（ＷＬＡＮ）、又は無線個人域ネットワーク（ＷＰＡＮ）との通信をサポートできる。ベースバンド回路１００４が１より多くの無線プロトコルの無線通信をサポートするよう構成される態様は、マルチモードベースバンド回路として参照され得る。
【００５７】
ＲＦ回路１００６は、非固体媒体を通じる変調電磁放射を用いる無線ネットワークとの通信を可能にできる。種々の態様において、ＲＦ回路１００６は、無線ネットワークとの通信を実現するために、スイッチ、フィルタ、増幅器、等を有し得る。ＲＦ回路１００６は、ＦＥＭ回路１００８から受信されるＲＦ信号をダウンコンバートするための回路を有し得る受信信号経路を含み、ベースバンド信号をベースバンド回路１００４に提供できる。ＲＦ回路１００６は、ベースバンド回路１００４により提供されるベースバンド信号をアップコンバートするための回路を含み得る送信信号経路も含み、送信のためにＲＦ出力信号をＦＥＭ回路１００８へ提供できる。
【００５８】
幾つかの態様では、ＲＦ回路１００６は、受信信号経路及び送信信号経路を含み得る。ＲＦ回路１００６の受信信号経路は、ミキサ回路１００６ａ、増幅器回路１００６ｂ、及びフィルタ回路１００６ｃを含み得る。ＲＦ回路１００６の送信信号経路は、フィルタ回路１００６ｃ及びミキサ回路１００６ａを含み得る。ＲＦ回路１００６は、受信信号経路及び送信信号経路のミキサ回路１００６ａにより使用するために周波数を合成する合成回路１００６ｄも有し得る。幾つかの態様では、受信信号経路のミキサ回路１００６ａは、合成回路１００６ｄにより提供される合成周波数に基づき、ＦＥＭ回路１００８から受信されるＲＦ信号をダウンコンバートするよう構成され得る。増幅器回路１００６ｂは、ダウンコンバートされた信号を増幅するよう構成でき、フィルタ回路１００６ｃは、ダウンコンバートされた信号から不要信号を除去して出力ベースバンド信号を生成するよう構成されるローパスフィルタ（ＬＰＦ）又はバンパスフィルタ（ＢＰＦ）であり得る。出力ベースバンド信号は、更なる処理のためにベースバンド回路１００４に提供され得る。幾つかの態様では、出力ベースバンド信号は、ゼロ周波数ベースバンド信号であり得るが、必須ではない。幾つかの態様では、受信信号経路のミキサ回路１００６ａは、受動型ミキサを有し売るが、本態様の範囲はこの点において限定されない。
【００５９】
幾つかの態様では、送信信号経路のミキサ回路１００６ａは、合成回路１００６ｄにより提供される合成周波数に基づき、入力ベースバンド信号をアップコンバートして、ＦＥＭ回路１００８のためにＲＦ出力信号を生成するよう構成され得る。ベースバンド信号は、ベースバンド回路１００４により提供され、フィルタ回路１００６ｃによりフィルタされ得る。フィルタ回路１００６ｃは、ローパスフィルタ（ＬＰＦ）を含み得るが、本態様の範囲はこれに関して限定されない。
【００６０】
幾つかの態様では、受信信号経路のミキサ回路１００６ａ及び送信信号経路のミキサ回路１００６ａは、２以上のミキサを含み、それぞれ直交ダウンコンバーンジョン及び／又はアップコンバージョンのために配置され得る。幾つかの態様では、受信信号経路のミキサ回路１００６ａ及び送信信号経路のミキサ回路１００６ａは、２以上のミキサを含み、イメージ除去（例えば、Hartleyイメージ除去）のために配置され得る。幾つかの態様では、受信信号経路のミキサ回路１００６ａ及びミキサ回路１００６ａは、それぞれ、直接ダウンコンバージョン及び／又は直接アップコンバージョンのために配置され得る。幾つかの態様では、受信信号経路のミキサ回路１００６ａ及び送信信号経路のミキサ回路１００６ａは、スーパヘテロダイン動作のために構成され得る。
【００６１】
幾つかの態様では、出力ベースバンド信号及び入力ベースバンド信号は、アナログベースバンド信号であり得るが、本態様の範囲はこれに関して限定されない。幾つかの代替の態様では、出力ベースバンド信号及び入力ベースバンド信号は、デジタルベースバンド信号であり得る。これらの代替の態様では、ＲＦ回路１００６は、アナログ−デジタルコンバータ（ＡＤＣ）及びデジタル−アナログコンバータ（ＤＡＣ）回路を有し得、ベースバンド回路１００４は、ＲＦ回路１００６と通信するためにデジタルベースバンドインタフェースを有し得る。
【００６２】
幾つかのデュアルモードの実施形態では、個別無線ＩＣ回路が、各スペクトルの信号を処理するために設けられ得るが、本実施形態の範囲はこれに関して限定されない。
【００６３】
幾つかの実施形態では、合成回路１００６ｄは、フラクショナルＮ合成器又はフラクショナルＮ／Ｎ＋１合成器であり得るが、本実施形態の範囲はこれに関して限定されず、他の種類の周波数合成器が適切であり得る。例えば、合成回路１００６ｄは、デルタ−シグマ合成器、周波数逓倍器、又は周波数分周器を備える位相ロックループを有する剛性器であり得る。
【００６４】
合成回路１００６ｄは、周波数入力及び分周器制御入力に基づき、ＲＦ回路１００６のミキサ回路１００６ａにより使用される出力周波数を合成するよう構成され得る。幾つかの実施形態では、合成回路１００６ｄは、フラクショナルＮ／Ｎ＋１合成器であり得る。
【００６５】
幾つかの実施形態では、周波数入力は、電圧制御発振器（ＶＣＯ）により提供できるが、これは必須ではない。分周器制御入力は、所望の出力周波数に依存して、ベースバンド回路１００４又はアプリケーションプロセッサ１００２により提供できる。幾つかの実施形態では、分周器制御入力（例えば、Ｎ）は、アプリケーションプロセッサ１００２により示されるチャネルに基づき、ルックアップテーブルから決定できる。
【００６６】
ＲＦ回路１００６の合成回路１００６ｄは、分周器、遅延ロックループ（ＤＬＬ）、マルチプレクサ、及び位相累算器を有し得る。幾つかの実施形態では、分周器はデュアルモジュラ分周器（ＤＭＤ）であり得、位相累算器はデジタル位相アキュムレータ（ＤＰＡ）であり得る。幾つかの実施形態では、ＤＭＤは、入力信号をＮ又はＮ＋１（例えば、キャリーアウトに基づく）により分周し、フラクショナル分周比を提供できる。幾つかの例示的な実施形態では、ＤＬＬは、カスケードされた可調の、遅延要素、位相検出器、チャージポンプ、及びＤ型フリップフロップのセットを有し得る。これらの実施形態では、遅延要素は、ＶＣＯ期間をＮｄ個の等しい位相パケットに分解するよう構成できる。ここで、Ｎｄは、遅延線の中の遅延要素の数である。このように、ＤＬＬは、遅延線を通して全体の遅延が１つのＶＣＯサイクルであることを保証するのを助けるために負帰還を提供する。
【００６７】
幾つかの実施形態では、合成器回路１００６ｄは、出力周波数として搬送波周波数を生成するよう構成され得る。一方で、他の実施形態では、出力周波数は、搬送波周波数の倍数であり（例えば、搬送波周波数の２倍、搬送波周波数の４倍）、直交生成器及び分周器回路と連携して使用され、互いに対して複数の異なる位相を有する搬送波周波数で複数の信号を生成できる。幾つかの実施形態では、出力周波数は、ＬＯ周波数（ｆＬＯ）であり得る。幾つかの実施形態では、ＲＦ回路１００６は、ＩＱ／極変換器を含み得る。
【００６８】
ＦＥＭ回路１００８は、１又は複数のアンテナ１０１０から受信されるＲＦ信号に対して作用し、受信信号を増幅し、受信信号の増幅されたバージョンを更なる処理のためにＲＦ回路１００６に提供するよう構成される回路を含み得る受信信号経路を有し得る。ＦＥＭ回路１００８は、１又は複数のアンテナ１０１０のうちの１又は複数による送信のために、ＲＦ回路１００６により提供される信号を送信のために増幅するよう構成される回路を含み得る送信信号経路も有し得る。
【００６９】
幾つかの実施形態では、ＦＥＭ回路１００８は、送信モード及び受信モード動作の間で切り替えるために、ＴＸ／ＲＸスイッチを含み得る。ＦＥＭ回路は、受信信号経路及び送信信号経路を含み得る。ＦＥＭ回路の受信信号経路は、受信ＲＦ信号を増幅し増幅した受信ＲＦ信号を出力として（例えば、ＲＦ回路１００６に）提供するために、低雑音増幅器（ＬＮＡ）を含み得る。ＦＥＭ回路１００８の送信信号経路は、（例えば、ＲＦ回路１００６により提供される）入力ＲＦ信号を増幅する電力増幅器（ＰＡ）、及び（例えば、１又は複数のアンテナ１０１０のうちの１又は複数による）後の送信のためにＲＦ信号を生成する１又は複数のフィルタを有し得る。
【００７０】
幾つかの実施形態では、ＵＥ装置１８００は、例えばメモリ／記憶装置、ディスプレイ、カメラ、センサ、及び／又は入力／出力（Ｉ／Ｏ）インタフェースのような追加要素を有し得る。
【００７１】
図１１は、一例による、ノード１１１０（例えば、ｅＮＢ及び／又はサービングＧＰＲＳサポートノード）及び無線装置（例えば、ＵＥ）の図１１００を示す。ノードは、基地局（ＢＳ）、ＮＢ（Node  B）、ｅＮＢ（evolved  Node  B）、ベースバンドユニット（baseband  unit：ＢＢＵ）、ＲＲＨ（remote  radio  head）、ＲＲＥ（remote  radio  equipment）、ＲＲＵ（remote  radio  unit）、又はＣＰＭ（central  processing  module）を有し得る。一態様では、ノードは、サービングＧＰＲＳサポートノードであり得る。ノード１１１０は、ノード装置１１１２を有し得る。ノード装置１１１２又はノード１１１０は、無線装置１１２０と通信するよう構成され得る。ノード装置１１１２は、記載の技術を実装するよう構成され得る。ノード装置１１１２は、処理モジュール１１１４及び通信機モジュール１１１６を有し得る。一態様では、ノード装置１１１２は、ノード１１１０の回路１１１８を形成する通信機モジュール１１１６及び処理モジュール１１１４を有し得る。一態様では、通信機モジュール１１１６及び処理モジュール１１１４は、ノード装置１１１２の回路を形成し得る。処理モジュール１１１４は、１又は複数のプロセッサ及びメモリを含み得る。一態様では、処理モジュール１１２２は、１又は複数のアプリケーションプロセッサを含み得る。通信機モジュール１１１６は、通信機と、１又は複数のプロセッサ及びメモリと、を含み得る。一実施形態では、通信機モジュール１１１６は、ベースバンドプロセッサを含み得る。
【００７２】
無線装置１１２０は、通信機モジュール１１２４及び処理モジュール１１２２を有し得る。処理モジュール１１２２は、１又は複数のプロセッサ及びメモリを含み得る。一態様では、処理モジュール１１２２は、１又は複数のアプリケーションプロセッサを含み得る。通信機モジュール１１２４は、通信機と、１又は複数のプロセッサ及びメモリと、を含み得る。一実施形態では、通信機モジュール１１２４は、ベースバンドプロセッサを含み得る。無線装置１１２０は、記載の技術を実装するよう構成され得る。ノード１１００及び無線装置１１２０は、通信機モジュール１１１６、１１２４及び／又は処理モジュール１１１４、１１２２のような１又は複数の記憶媒体も含み得る。
【００７３】
本願明細書で用いられるとき、用語「回路」は、１又は複数のソフトウェア若しくはファームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なハードウェアコンポーネントを表し、その一部であり、又はそれを含み得る。幾つかの態様では、１又は複数のソフトウェア又はファームウェアモジュールにより、回路が実装でき、或いは、回路に関連する関数が実装できる。幾つかの態様では、回路は、少なくとも部分的にハードウェアで動作可能なロジックを含み得る。
【００７４】
＜例＞
以下の例は、特定の技術的実施形態に関し、そのような実施形態を達成する際に使用され又は結合され得る特定の特徴、要素、又はステップに注目させる。
【００７５】
例１は、ユーザ機器（ＵＥ）の装置であって、前記ＵＥは、周波数間及び公衆地上移動体通信網（ＰＬＭＮ）間の発見を実行するよう構成され、前記装置は、前記ＵＥのサービングＰＬＭＮの搬送波周波数について、ｅＮｏｄｅＢから受信した、サービングＰＬＭＮシステム情報ブロック（ＳＩＢ）１９を処理し、前記ＳＩＢ１９から周波数間及びＰＬＭＮ間発見システム情報取得支援シグナリング情報を取得し、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理し、前記非サービングＰＬＭＮの前記１又は複数の搬送波周波数の周波数間及びＰＬＭＮ間発見宣言レート情報及び監視制御構成情報を識別して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【００７６】
例２は、前記周波数間及びＰＬＭＮ間発見システム情報取得支援シグナリング情報は、搬送波帯域幅と、電力情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報を有する、例１に記載の装置を含む。
【００７７】
例３は、前記周波数間及びＰＬＭＮ間発見システム情報取得支援シグナリング情報は、周波数間及びＰＬＭＮ間発見の時間ウインドウに関する情報を有する、例１又は２に記載の装置を有する。
【００７８】
例４は、前記１又は複数のプロセッサ及びメモリは、受信後に、帯域幅と電力とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、例１に記載の装置を含む。
【００７９】
例５は、前記周波数間及びＰＬＭＮ間発見宣言レート情報及び監視制御構成情報は、前記サービングＰＬＭＮによりサービスされる複数のセル周波数のリソースプール構成のより上位レイヤシグナリング又は前記非サービングＰＬＭＮの前記１又は複数の搬送波周波数のＳＩＢ１９のより上位レイヤシグナリングを有するＰＬＭＮ間発見宣言又は監視のための完全な発見構成情報を提供する、例１又は４に記載の装置を含む。
【００８０】
例６は、前記周波数間及びＰＬＭＮ間発見宣言レート情報及び監視制御構成情報は、複数のセル周波数に渡り、前記サービングＰＬＭＮによりサービスされる複数のセル周波数のリソースプール構成のより上位レイヤシグナリングと、前記サービングセルに対して異なるセル周波数で送信されるＳＩＢ１９を取得するために前記サービングセル周波数に対する時間ウインドウのより上位レイヤシグナリングと、複数のＰＬＭＮについて前記周波数間及びＰＬＭＮ間発見宣言レート情報及び監視制御構成情報に関する情報を交換するための周波数間リストＸ２シグナリングの中の複数の周波数間のうちの１つにおける前記周波数間及びＰＬＭＮ間発見宣言レート情報及び監視制御構成情報の変化を示すためのより上位レイヤシグナリングと、を有するＰＬＭＮ間発見宣言又は監視のための完全な発見構成情報を提供する、例１又は４に記載の装置を含む。
【００８１】
例７は、前記１又は複数のプロセッサ及びメモリは、１又は複数の非サービングＰＬＭＮの各セル搬送波周波数の前記サービングＰＬＭＮのサービングセルに地理的に近く及びＰＬＭＮ識別（ＩＤ）及び物理セルＩＤ（ＰＣＩＤ）によりインデックス付けされた非サービングセルのリストのために、前記周波数間及びＰＬＭＮ間発見宣言レート情報及び監視制御構成情報を用い、前記周波数間及びＰＬＭＮ間発見宣言レート情報及び監視制御構成情報の送信確率のより上位レイヤシグナリングを用い、前記上位レイヤシグナリングは、前記サービングＰＬＭＮにより制御されるサービングセル周波数の中の特定プールのＳＩＢ１９の中の前記ＵＥの宣言レート、前記サービングセル周波数のＳＩＢ１９の周波数リストの中のＰＬＭＮ間発見宣言レート情報、又は周波数間及びＰＬＭＮ間発見のための専用発見プール又はサブプール、を構成する、よう更に構成される、例６に記載の装置を含む。
【００８２】
例８は、前記より上位レイヤシグナリングは、前記非サービングＰＬＭＮの前記１又は複数の搬送波周波数での発見メッセージの送信のための送信（ＴＸ）発見プールであって、前記ＵＥが複数の搬送波周波数のうちの１つの中で構成される前記発見プールのＫ番目の期間毎に送信できるようにし、Ｋは１より大きい正整数である、送信（ＴＸ）発見プールと、既存の発見プール構成の一番上にある周波数間発見宣言又は監視のための時間間隔であって、前記時間間隔はＰＬＭＮアイデンティティに依存する、時間間隔と、を構成し、送信確率、発見宣言レート、専用発見プール、及び周波数間発見宣言のための時間期間の構成をＰＬＭＮアイデンティティの関数として用い、複数の搬送波周波数に跨る発見宣言のＰＬＭＮアイデンティティに依存するスケジューリングを用いてＰＬＭＮ間発見宣言及び監視を実行し、複数の異なるアイデンティティのうちの１又は複数に基づく発見宣言及び発見監視間隔のランダム化を用いてＰＬＭＮ間発見宣言及び監視を実行し、又は、復調参照信号（ＤＭＲＳ）シーケンス、ＤＭＲＳ直交カバーコードシーケンス、ＤＭＲＳ巡回シフト、発見プールの範囲内の発見ホッピング、ＰＬＭＮアイデンティティの関数である発見信号物理構造又はそれらの組合せを有する発見シグナリングの物理構造を用いる、例１又は７に記載の装置を含む。
【００８３】
例９は、前記装置は、アンテナ、タッチ感応ディスプレイスクリーン、スピーカ、マイクロフォン、グラフィックプロセッサ、アプリケーションプロセッサ、内部メモリ、不揮発性メモリポート及びそれらの組合せのうちの少なくとも１つを有する、例１に記載の装置を含む。
【００８４】
例１０は、ユーザ機器（ＵＥ）の装置であって、前記ＵＥは、周波数間及び公衆地上移動体通信網（ＰＬＭＮ）間発見を実行するよう構成され、前記装置は、前記ＵＥのサービングＰＬＭＮの搬送波周波数について、ｅＮｏｄｅＢから受信した、サービングＰＬＭＮシステム情報ブロック（ＳＩＢ）１９を処理し、前記ＳＩＢ１９から周波数間及びＰＬＭＮ間発見システム情報取得支援シグナリング情報を取得し、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【００８５】
例１１は、前記１又は複数のプロセッサ及びメモリは、前記非サービングＰＬＭＮの前記１又は複数の搬送波周波数の周波数間及びＰＬＭＮ間発見宣言レート情報及び監視制御構成情報を識別するよう更に構成される、例１０に記載の装置を含む。
【００８６】
例１２は、前記周波数間及びＰＬＭＮ間発見システム情報取得支援シグナリング情報は、搬送波帯域幅と、電力制御情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報を有する、例１０又は１１に記載の装置を含む。
【００８７】
例１３は、前記周波数間及びＰＬＭＮ間発見システム情報取得支援シグナリング情報は、周波数間及びＰＬＭＮ間発見の時間ウインドウに関する情報を有する、例１０に記載の装置を有する。
【００８８】
例１４は、前記１又は複数のプロセッサ及びメモリは、受信後に、帯域幅と電力制御情報とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、例１０又は１３に記載の装置を含む。
【００８９】
例１５は、前記周波数間及びＰＬＭＮ間発見システム情報取得支援シグナリング情報は、前記サービングＰＬＭＮによりサービスされる複数のセル周波数のリソースプール構成のより上位レイヤシグナリングと、前記非サービングＰＬＭＮの前記１又は複数の搬送波周波数のＳＩＢ１９スケジューリング情報のより上位レイヤシグナリングと、を有するＰＬＭＮ間発見宣言又は監視のための完全な発見構成情報を提供する、例１４に記載の装置を含む。
【００９０】
例１６は、周波数間及びＰＬＭＮ間発見システム情報取得支援シグナリング情報は、複数のセル周波数に渡り、前記サービングＰＬＭＮによりサービスされる複数のセル周波数のリソースプール構成のより上位レイヤシグナリングと、前記サービングセルに対して異なるセル周波数で送信されるＳＩＢ１９を取得するために前記サービングセル周波数に対する時間ウインドウのより上位レイヤシグナリングと、複数のＰＬＭＮについて前記周波数間及びＰＬＭＮ間発見宣言レート情報及び監視制御構成情報に関する情報を交換するためのブロードキャストされた周波数間リストＸ２シグナリングの中の複数の周波数間のうちの１つにおける前記周波数間及びＰＬＭＮ間発見宣言レート情報及び監視制御構成情報の変化を示すためのより上位レイヤシグナリングと、を有するＰＬＭＮ間発見宣言又は監視のための完全な発見構成情報を提供する、例１０又は１５に記載の装置を含む。
【００９１】
例１７は、前記１又は複数のプロセッサ及びメモリは、１又は複数の非サービングＰＬＭＮの各々のセル搬送波周波数について、前記サービングＰＬＭＮのサービングセルに地理的に近く及びＰＬＭＮ識別（ＩＤ）及び物理セルＩＤ（ＰＣＩＤ）によりインデックス付けされた前記周波数間及びＰＬＭＮ間発見宣言レート情報及び監視制御構成情報を用いる、例１０に記載の装置を含む。
【００９２】
例１８は、前記１又は複数のプロセッサ及びメモリは、前記周波数間及びＰＬＭＮ間発見宣言レート情報及び監視制御構成情報の送信確率のより上位レイヤシグナリングを用い、前記より上位レイヤシグナリングは、前記サービングＰＬＭＮにより制御されるサービングセル周波数の中の特定プールのＳＩＢ１９の中の前記ＵＥの宣言レート、前記サービングセル周波数のＳＩＢ１９の周波数リストの中のＰＬＭＮ間発見宣言レート情報、周波数間及びＰＬＭＮ間発見のための専用発見プール又はサブプール、を構成する、よう更に構成される、例１０又は１７に記載の装置を含む。
【００９３】
例１９は、前記より上位レイヤシグナリングは、Ｋは１より大きい正整数であり、複数の搬送波周波数のうちの１つの中で構成される前記発見プールのＫ番目の期間毎に前記ＵＥが送信できるように、前記非サービングＰＬＭＮの前記１又は複数の搬送波周波数での発見メッセージの送信の送信（ＴＸ）発見プール、又は既存の発見プール構成の一番上にある周波数間発見宣言又は監視のための時間間隔であって、前記時間間隔はＰＬＭＮアイデンティティに依存する、時間間隔、を構成する、例１８に記載の装置を含む。
【００９４】
例２０は、前記１又は複数のプロセッサ及びメモリは、ＰＬＭＮアイデンティティの機能として、送信確率、発見宣言レート、専用発見プール、及び周波数間発見宣言のための時間期間の構成を用いるよう更に構成される、例１０又は１９に記載の装置を含む。
【００９５】
例２１は、前記１又は複数のプロセッサ及びメモリは、複数の搬送波周波数に渡る発見宣言のためにＰＬＭＮアイデンティティ独立スケジューリングを用いて、ＰＬＭＮ間発見宣言及び監視を実行し、複数の異なるアイデンティティのうちの１又は複数に基づき、発見宣言及び発見監視間隔のランダム化を用いて、ＰＬＭＮ間発見宣言及び監視を実行し、又は復調参照信号（ＤＭＲＳ）シーケンス、ＤＭＲＳ直交カバーコードシーケンス、ＤＭＲＳ巡回シフト、発見プール内の発見ホッピング、ＰＬＭＮアイデンティティの機能である発見信号物理構造、又はそれらの組合せを有する発見シグナリングの物理構造を用いる、よう更に構成される、例１０に記載の装置を含む。
【００９６】
例２２は、ｅＮｏｄｅＢの装置であって、前記ｅＮｏｄｅＢは、周波数間及び公衆地上移動体通信網（ＰＬＭＮ）間発見を実行するためにユーザ機器（ＵＥ）を支援するよう構成され、前記装置は、  前記ＵＥへの送信のために、前記ＵＥのサービングＰＬＭＮの搬送波周波数について、サービングＰＬＭＮシステム情報ブロック（ＳＩＢ）１９を処理して、前記ＵＥが前記ＳＩＢ１９から周波数間及びＰＬＭＮ間発見システム情報取得支援シグナリング情報を取得できるようにし、前記ＵＥへの送信のために、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記ＵＥが前記非サービングＰＬＭＮの前記１又は複数の搬送波周波数の周波数間及びＰＬＭＮ間発見宣言レート情報及び監視制御構成情報を識別でき、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【００９７】
例２３は、前記１又は複数のプロセッサ及びメモリは、１又は複数の非サービングＰＬＭＮから又は１又は複数の非サービングセルから受信した前記周波数間及びＰＬＭＮ間発見システム情報取得支援シグナリング情報を処理するよう更に構成される、例２２に記載の装置を含む。
【００９８】
例２４は、前記周波数間及びＰＬＭＮ間発見システム情報取得支援シグナリング情報は、前記ＵＥが、前記周波数間及びＰＬＭＮ間発見宣言レート情報及び監視制御構成情報に従い、前記非サービングＰＬＭＮの中のＵＥと装置間（Ｄ２Ｄ）発見を実行できるようにする、例２２に記載の装置を含む。
【００９９】
例２５は、ユーザ機器（ＵＥ）の装置であって、前記ＵＥは、周波数間及び公衆地上移動体通信網（ＰＬＭＮ）間発見を実行するよう構成され、前記装置は、前記ＵＥのサービングＰＬＭＮの搬送波周波数についてサービングＰＬＭＮシステム情報ブロック（ＳＩＢ）１９を、ｅＮｏｄｅＢから受信し、前記ＳＩＢ１９から周波数間及びＰＬＭＮ間発見システム情報取得支援シグナリング情報を取得し、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理し、前記非サービングＰＬＭＮの前記１又は複数の搬送波周波数の周波数間及びＰＬＭＮ間発見宣言レート情報及び監視制御構成情報を識別して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【０１００】
例２６は、前記周波数間及びＰＬＭＮ間発見システム情報取得支援シグナリング情報は、搬送波帯域幅と、電力情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報を有する、例２５に記載の装置を含む。
【０１０１】
例２７は、前記周波数間及びＰＬＭＮ間発見システム情報取得支援シグナリング情報は、周波数間及びＰＬＭＮ間発見の時間ウインドウに関する情報を有する、例２５に記載の装置を有する。
【０１０２】
例２８は、前記２５又は複数のプロセッサ及びメモリは、受信後に、帯域幅と電力とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、例１に記載の装置を含む。
【０１０３】
例２９は、前記周波数間及びＰＬＭＮ間発見宣言レート情報及び監視制御構成情報は、前記サービングＰＬＭＮによりサービスされる複数のセル周波数のリソースプール構成のより上位レイヤシグナリング又は前記非サービングＰＬＭＮの前記１又は複数の搬送波周波数のＳＩＢ１９のより上位レイヤシグナリングを有するＰＬＭＮ間発見宣言又は監視のための完全な発見構成情報を提供する、例２５に記載の装置を含む。
【０１０４】
例３０は、前記周波数間及びＰＬＭＮ間発見宣言レート情報及び監視制御構成情報は、複数のセル周波数に渡り、前記サービングＰＬＭＮによりサービスされる複数のセル周波数のリソースプール構成のより上位レイヤシグナリングと、前記サービングセルに対して異なるセル周波数で送信されるＳＩＢ１９を取得するために前記サービングセル周波数に対する時間ウインドウのより上位レイヤシグナリングと、複数のＰＬＭＮについて前記周波数間及びＰＬＭＮ間発見宣言レート情報及び監視制御構成情報に関する情報を交換するための周波数間リストＸ２シグナリングの中の複数の周波数間のうちの１つにおける前記周波数間及びＰＬＭＮ間発見宣言レート情報及び監視制御構成情報の変化を示すためのより上位レイヤシグナリングと、を有するＰＬＭＮ間発見宣言又は監視のための完全な発見構成情報を提供する、例２５に記載の装置を含む。
【０１０５】
例３１は、前記１又は複数のプロセッサ及びメモリは、１又は複数の非サービングＰＬＭＮの各セル搬送波周波数の前記サービングＰＬＭＮのサービングセルに地理的に近く及びＰＬＭＮ識別（ＩＤ）及び物理セルＩＤ（ＰＣＩＤ）によりインデックス付けされた非サービングセルのリストのために、前記周波数間及びＰＬＭＮ間発見宣言レート情報及び監視制御構成情報を用い、前記周波数間及びＰＬＭＮ間発見宣言レート情報及び監視制御構成情報の送信確率のより上位レイヤシグナリングを用い、前記上位レイヤシグナリングは、前記サービングＰＬＭＮにより制御されるサービングセル周波数の中の特定プールのＳＩＢ１９の中の前記ＵＥの宣言レート、前記サービングセル周波数のＳＩＢ１９の周波数リストの中のＰＬＭＮ間発見宣言レート情報、又は周波数間及びＰＬＭＮ間発見のための専用発見プール又はサブプール、を構成する、よう更に構成される、例３０に記載の装置を含む。
【０１０６】
例３２は、前記より上位レイヤシグナリングは、前記非サービングＰＬＭＮの前記１又は複数の搬送波周波数での発見メッセージの送信のための送信（ＴＸ）発見プールであって、前記ＵＥが複数の搬送波周波数のうちの１つの中で構成される前記発見プールのＫ番目の期間毎に送信できるようにし、Ｋは１より大きい正整数である、送信（ＴＸ）発見プールと、既存の発見プール構成の一番上にある周波数間発見宣言又は監視のための時間間隔であって、前記時間間隔はＰＬＭＮアイデンティティに依存する、時間間隔と、を構成し、送信確率、発見宣言レート、専用発見プール、及び周波数間発見宣言のための時間期間の構成をＰＬＭＮアイデンティティの関数として用い、複数の搬送波周波数に跨る発見宣言のＰＬＭＮアイデンティティに依存するスケジューリングを用いてＰＬＭＮ間発見宣言及び監視を実行し、複数の異なるアイデンティティのうちの１又は複数に基づく発見宣言及び発見監視間隔のランダム化を用いてＰＬＭＮ間発見宣言及び監視を実行し、又は、復調参照信号（ＤＭＲＳ）シーケンス、ＤＭＲＳ直交カバーコードシーケンス、ＤＭＲＳ巡回シフト、発見プールの範囲内の発見ホッピング、ＰＬＭＮアイデンティティの関数である発見信号物理構造又はそれらの組合せを有する発見シグナリングの物理構造を用いる、例２５に記載の装置を含む。
【０１０７】
例３３は、前記装置は、アンテナ、タッチ感応ディスプレイスクリーン、スピーカ、マイクロフォン、グラフィックプロセッサ、アプリケーションプロセッサ、内部メモリ、不揮発性メモリポート及びそれらの組合せのうちの少なくとも１つを有する、例２５に記載の装置を含む。
【０１０８】
例３４は、ユーザ機器（ＵＥ）の装置であって、前記ＵＥは、周波数間及び公衆地上移動体通信網（ＰＬＭＮ）間発見を実行するよう構成され、前記装置は、前記ＵＥのサービングＰＬＭＮの搬送波周波数のサービングＰＬＭＮシステム情報ブロック（ＳＩＢ）１９をｅＮｏｄｅＢから受信し、前記ＳＩＢ１９から周波数間及びＰＬＭＮ間発見システム情報取得支援シグナリング情報を取得し、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【０１０９】
例３５は、前記１又は複数のプロセッサ及びメモリは、前記非サービングＰＬＭＮの前記１又は複数の搬送波周波数の周波数間及びＰＬＭＮ間発見宣言レート情報及び監視制御構成情報を識別するよう更に構成される、例３４に記載の装置を含む。
【０１１０】
例３６は、前記周波数間及びＰＬＭＮ間発見システム情報取得支援シグナリング情報は、搬送波帯域幅と、電力情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報を有する、例３４に記載の装置を含む。
【０１１１】
例３７は、前記周波数間及びＰＬＭＮ間発見システム情報取得支援シグナリング情報は、周波数間及びＰＬＭＮ間発見の時間ウインドウに関する情報を有する、例３４に記載の装置を有する。
【０１１２】
例３８は、前記１又は複数のプロセッサ及びメモリは、受信後に、帯域幅と電力制御情報とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、例３４に記載の装置を含む。
【０１１３】
例３９は、前記周波数間及びＰＬＭＮ間発見システム情報取得支援シグナリング情報は、前記サービングＰＬＭＮによりサービスされる複数のセル周波数のリソースプール構成のより上位レイヤシグナリングと、前記非サービングＰＬＭＮの前記１又は複数の搬送波周波数のＳＩＢ１９スケジューリング情報のより上位レイヤシグナリングと、を有するＰＬＭＮ間発見宣言又は監視のための完全な発見構成情報を提供する、例３４に記載の装置を含む。
【０１１４】
例４０は、周波数間及びＰＬＭＮ間発見システム情報取得支援シグナリング情報は、複数のセル周波数に渡り、前記サービングＰＬＭＮによりサービスされる複数のセル周波数のリソースプール構成のより上位レイヤシグナリングと、前記サービングセルに対して異なるセル周波数で送信されるＳＩＢ１９を取得するために前記サービングセル周波数に対する時間ウインドウのより上位レイヤシグナリングと、複数のＰＬＭＮについて前記周波数間及びＰＬＭＮ間発見宣言レート情報及び監視制御構成情報に関する情報を交換するためのブロードキャストされた周波数間リストＸ２シグナリングの中の複数の周波数間のうちの１つにおける前記周波数間及びＰＬＭＮ間発見宣言レート情報及び監視制御構成情報の変化を示すためのより上位レイヤシグナリングと、を有するＰＬＭＮ間発見宣言又は監視のための完全な発見構成情報を提供する、例３４に記載の装置を含む。
【０１１５】
例４１は、前記１又は複数のプロセッサ及びメモリは、１又は複数の非サービングＰＬＭＮの各々のセル搬送波周波数について、前記サービングＰＬＭＮのサービングセルに地理的に近く及びＰＬＭＮ識別（ＩＤ）及び物理セルＩＤ（ＰＣＩＤ）によりインデックス付けされた前記周波数間及びＰＬＭＮ間発見宣言レート情報及び監視制御構成情報を用いる、例３４に記載の装置を含む。
【０１１６】
例４２は、前記１又は複数のプロセッサ及びメモリは、前記周波数間及びＰＬＭＮ間発見宣言レート情報及び監視制御構成情報の送信確率のより上位レイヤシグナリングを用い、前記より上位レイヤシグナリングは、前記サービングＰＬＭＮにより制御されるサービングセル周波数の中の特定プールのＳＩＢ１９の中の前記ＵＥの宣言レート、前記サービングセル周波数のＳＩＢ１９の周波数リストの中のＰＬＭＮ間発見宣言レート情報、周波数間及びＰＬＭＮ間発見のための専用発見プール又はサブプール、を構成する、よう更に構成される、例３４に記載の装置を含む。
【０１１７】
例４３は、前記より上位レイヤシグナリングは、Ｋは１より大きい正整数であり、複数の搬送波周波数のうちの１つの中で構成される前記発見プールのＫ番目の期間毎に前記ＵＥが送信できるように、前記非サービングＰＬＭＮの前記１又は複数の搬送波周波数での発見メッセージの送信の送信（ＴＸ）発見プール、又は既存の発見プール構成の一番上にある周波数間発見宣言又は監視のための時間間隔であって、前記時間間隔はＰＬＭＮアイデンティティに依存する、時間間隔、を構成する、例４２に記載の装置を含む。
【０１１８】
例４４は、前記１又は複数のプロセッサ及びメモリは、ＰＬＭＮアイデンティティの機能として、送信確率、発見宣言レート、専用発見プール、及び周波数間発見宣言のための時間期間の構成を用いるよう更に構成される、例３４に記載の装置を含む。
【０１１９】
例４５は、前記１又は複数のプロセッサ及びメモリは、複数の搬送波周波数に渡る発見宣言のためにＰＬＭＮアイデンティティ独立スケジューリングを用いて、ＰＬＭＮ間発見宣言及び監視を実行し、複数の異なるアイデンティティのうちの１又は複数に基づき、発見宣言及び発見監視間隔のランダム化を用いて、ＰＬＭＮ間発見宣言及び監視を実行し、又は復調参照信号（ＤＭＲＳ）シーケンス、ＤＭＲＳ直交カバーコードシーケンス、ＤＭＲＳ巡回シフト、発見プール内の発見ホッピング、ＰＬＭＮアイデンティティの機能である発見信号物理構造、又はそれらの組合せを有する発見シグナリングの物理構造を用いる、よう更に構成される、例３４に記載の装置を含む。
【０１２０】
例４６は、ｅＮｏｄｅＢの装置であって、前記ｅＮｏｄｅＢは、周波数間及び公衆地上移動体通信網（ＰＬＭＮ）間発見を実行するためにユーザ機器（ＵＥ）を支援するよう構成され、前記装置は、  前記ＵＥへの送信のために、前記ＵＥのサービングＰＬＭＮの搬送波周波数について、サービングＰＬＭＮシステム情報ブロック（ＳＩＢ）１９を処理して、前記ＵＥが前記ＳＩＢ１９から周波数間及びＰＬＭＮ間発見システム情報取得支援シグナリング情報を取得できるようにし、前記ＵＥへの送信のために、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記ＵＥが前記非サービングＰＬＭＮの前記１又は複数の搬送波周波数の周波数間及びＰＬＭＮ間発見宣言レート情報及び監視制御構成情報を識別でき、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【０１２１】
例４７は、前記１又は複数のプロセッサ及びメモリは、１又は複数の非サービングＰＬＭＮから又は１又は複数の非サービングセルから受信した前記周波数間及びＰＬＭＮ間発見システム情報取得支援シグナリング情報を処理するよう更に構成される、例４６に記載の装置を含む。
【０１２２】
例４８は、前記周波数間及びＰＬＭＮ間発見システム情報取得支援シグナリング情報は、前記ＵＥが、前記周波数間及びＰＬＭＮ間発見宣言レート情報及び監視制御構成情報に従い、前記非サービングＰＬＭＮの中のＵＥと装置間（Ｄ２Ｄ）発見を実行できるようにする、例４７に記載の装置を含む。
【０１２３】
例４９は、ユーザ機器（ＵＥ）の装置であって、前記ＵＥは、周波数間及び公衆地上移動体通信網（ＰＬＭＮ）間発見を実行するよう構成され、前記装置は、前記ＵＥのサービングＰＬＭＮの搬送波周波数についてサービングＰＬＭＮシステム情報ブロック（ＳＩＢ）１９を、ｅＮｏｄｅＢから受信し、前記ＳＩＢ１９から周波数間及びＰＬＭＮ間発見システム情報取得支援シグナリング情報を取得し、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理し、前記非サービングＰＬＭＮの前記１又は複数の搬送波周波数の周波数間及びＰＬＭＮ間発見宣言レート情報及び監視制御構成情報を識別して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【０１２４】
例５０は、前記周波数間及びＰＬＭＮ間発見システム情報取得支援シグナリング情報は、搬送波帯域幅と、電力情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報、又は周波数間及びＰＬＭＮ間発見の時間ウインドウに関する情報、を有する、例４９に記載の装置を含む。
【０１２５】
例５１は、前記１又は複数のプロセッサ及びメモリは、受信後に、帯域幅と電力とシステム情報無線ネットワーク一時識別子（ＳＩ−ＲＮＴＩ）とＳＩＢ１スケジューリング情報とＳＩＢ１９スケジューリング情報又は周波数間及びＰＬＭＮ間発見の時間ウインドウに関する前記情報とを含む前記周波数間及びＰＬＭＮ間発見システム情報取得支援シグナリング情報から、取得支援シグナリングを示すよう更に構成される、例４９又は５０に記載の装置を含む。
【０１２６】
例５２では、例４９又はここに記載の例のうちの任意のものの主題は、周波数間及びＰＬＭＮ間発見宣言レート情報及び監視制御構成情報は、前記サービングＰＬＭＮによりサービスされる複数のセル周波数のためのリソースプール構成のより上位レイヤシグナリングと、非サービングＰＬＭＮの１又は複数の搬送波周波数のＳＩＢ１９スケジューリング情報のより上位レイヤシグナリングとを含むＰＬＭＮ間発見宣言又は監視のための完全な発見構成情報、又は複数のセル周波数に渡る、前記サービングＰＬＭＮによりサービスされる複数のセル周波数のリソースプール構成のより上位レイヤシグナリングと、前記サービングセルに対して異なるセル周波数で送信されるＳＩＢ１９を取得するための前記サービングセル周波数に対する時間ウインドウのより上位レイヤシグナリングと、複数のＰＬＭＮの周波数間及びＰＬＭＮ間発見宣言レート情報及び監視制御構成情報に関する情報を交換するためのブロードキャストされた周波数間リストＸ２シグナリングの中の複数の周波数間のうちの１つで周波数間及びＰＬＭＮ間発見宣言レート情報及び監視制御構成情報の変化を示すためのより上位レイヤシグナリングと、を含むＰＬＭＮ間発見宣言又は監視のための完全な発見構成情報を提供する、ことを更に含んで良い。
【０１２７】
例５３は、例５２に記載の装置を含み、前記１又は複数のプロセッサ及びメモリは、１又は複数の非サービングＰＬＭＮの各々のセル搬送波周波数について、前記サービングＰＬＭＮのサービングセルに地理的に近く及びＰＬＭＮ識別（ＩＤ）及び物理セルＩＤ（ＰＣＩＤ）によりインデックス付けされた非サービングセルのリストのために前記周波数間及びＰＬＭＮ間発見宣言レート情報及び監視制御構成情報を用い、周波数間及びＰＬＭＮ間発見宣言レート情報及び監視制御構成情報のために、送信確率のより上位レイヤシグナリングを用い、前記上位レイヤシグナリングは、前記サービングＰＬＭＮにより制御されるサービングセル周波数の中の特定プールのＳＩＢ１９の中の前記ＵＥに対する宣言レートと、前記サービングセル周波数のＳＩＢ１９の周波数リストの中のＰＬＭＮ間発見宣言レート情報と、周波数間及びＰＬＭＮ間発見の専用発見プール又はサブプールと、非サービングＰＬＭＮの前記１又は複数の搬送波周波数での発見メッセージの送信のための送信（ＴＸ）発見プールであって、前記ＵＥが複数の搬送波周波数のうちの１つで構成される前記発見プールのうちのＫ番目の期間毎に送信できるようにし、Ｋは１より大きい正整数である、送信（ＴＸ）発見プールと、既存の発見プール構成の一番上にある周波数間発見宣言又は監視のための時間間隔であって、前記時間間隔はＰＬＭＮアイデンティティに依存する、時間間隔と、を用い、送信確率、発見宣言レート、専用発見プール、及び周波数間発見宣言の時間期間の構成を、ＰＬＭＮアイデンティティの関数として用い、複数の搬送波周波数に渡り発見宣言のためにＰＬＭＮアイデンティティ依存スケジューリングを用いてＰＬＭＮ間発見宣言及び監視を実行し、複数の異なるアイデンティティのうちの１又は複数の基づく発見宣言及び発見監視のランダム化を用いて、ＰＬＭＮ間発見宣言及び監視を実行し、又は、復調参照信号（ＤＭＲＳ）シーケンス、ＤＭＲＳ直交カバーコードシーケンス、ＤＭＲＳ巡回シフト、発見プールの範囲内の発見ホッピング、ＰＬＭＮアイデンティティの関数である発見信号物理構造、又はそれらの組合せを含む発見シグナリングの物理構造を使用する、よう更に構成される。
【０１２８】
例５４では、例４９又はここに記載の例のうちの任意のものの主題は、例４９〜５３を更に含んで良く、前記装置は、アンテナ、タッチ感応ディスプレイスクリーン、スピーカ、マイクロフォン、グラフィックプロセッサ、アプリケーションプロセッサ、内部メモリ、不揮発性メモリポート及びそれらの組合せのうちの少なくとも１つを有する。
【０１２９】
例５５は、ユーザ機器（ＵＥ）の装置であって、前記ＵＥは、周波数間及び公衆地上移動体通信網（ＰＬＭＮ）間発見を実行するよう構成され、前記装置は、前記ＵＥのサービングＰＬＭＮの搬送波周波数のサービングＰＬＭＮシステム情報ブロック（ＳＩＢ）１９をｅＮｏｄｅＢから受信し、前記ＳＩＢ１９から周波数間及びＰＬＭＮ間発見システム情報取得支援シグナリング情報を取得し、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【０１３０】
例５６は、前記１又は複数のプロセッサ及びメモリは、前記非サービングＰＬＭＮの前記１又は複数の搬送波周波数の周波数間及びＰＬＭＮ間発見宣言レート情報及び監視制御構成情報を識別するよう更に構成される、例５５に記載の装置を含む。
【０１３１】
例５７は、前記周波数間及びＰＬＭＮ間発見システム情報取得支援シグナリング情報は、搬送波帯域幅と、電力制御情報と、システム情報無線ネットワーク一時識別子（ＳＩ−ＲＮＴＩ）と、ＳＩＢ１スケジューリング情報と、ＳＩＢ１９スケジューリング情報とを含む周波数間スケジューリング情報、又は周波数間及びＰＬＭＮ間発見の時間ウインドウに関する情報、を有する、例５５又は５６に記載の装置を含む。
【０１３２】
例５８では、例５５又はここに記載の例のうちの任意のものの主題は、前記１又は複数のプロセッサ及びメモリは、帯域幅、電力制御情報、システム情報無線ネットワーク一時識別子（ＳＩ−ＲＮＴＩ）、ＳＩＢ１スケジューリング情報、及びＳＩＢ１９スケジューリング情報、又は周波数間及びＰＬＭＮ間発見のための時間ウインドウに関する情報を含む周波数間及びＰＬＭＮ間発見システム情報取得支援シグナリング情報から、受信後に取得支援シグナリングを示し、前記周波数間及びＰＬＭＮ間発見システム情報取得支援シグナリング情報は、前記サービングＰＬＭＮによりサービスされる複数のセル周波数のためのリソースプール構成のより上位レイヤシグナリングと、前記非サービングＰＬＭＮの前記１又は複数の搬送波周波数のＳＩＢ１９スケジューリング情報のより上位レイヤシグナリングと、を有するＰＬＭＮ間発見宣言又は監視のための完全な発見構成情報を提供する、よう更に構成される、ことを更に含んで良い。
【０１３３】
例５９では、例５５又はここに記載の例のうちの任意のものの主題は、周波数間及びＰＬＭＮ間発見システム情報取得支援シグナリング情報は、複数のセル周波数に渡り、前記サービングＰＬＭＮによりサービスされる複数のセル周波数のリソースプール構成のより上位レイヤシグナリングと、前記サービングセルに対して異なるセル周波数で送信されるＳＩＢ１９を取得するために前記サービングセル周波数に対する時間ウインドウのより上位レイヤシグナリングと、複数のＰＬＭＮについて前記周波数間及びＰＬＭＮ間発見宣言レート情報及び監視制御構成情報に関する情報を交換するためのブロードキャストされた周波数間リストＸ２シグナリングの中の複数の周波数間のうちの１つにおける前記周波数間及びＰＬＭＮ間発見宣言レート情報及び監視制御構成情報の変化を示すためのより上位レイヤシグナリングと、を有するＰＬＭＮ間発見宣言又は監視のための完全な発見構成情報を提供する、ことを更に含んで良い。
【０１３４】
例６０では、例５５又はここに記載の例のうちの任意のものの主題は、前記１又は複数のプロセッサ及びメモリは、１又は複数の非サービングＰＬＭＮの各々のセル搬送波周波数について、前記サービングＰＬＭＮのサービングセルに地理的に近く及びＰＬＭＮ識別（ＩＤ）及び物理セルＩＤ（ＰＣＩＤ）によりインデックス付けされた前記周波数間及びＰＬＭＮ間発見宣言レート情報及び監視制御構成情報を用いる、よう更に構成されることを更に含んで良い。
【０１３５】
例６１では、例５５又はここに記載の例のうちの任意のものの主題は、前記１又は複数のプロセッサ及びメモリは、前記周波数間及びＰＬＭＮ間発見宣言レート情報及び監視制御構成情報のより上位レイヤシグナリングを用い、前記より上位レイヤシグナリングは、前記サービングＰＬＭＮにより制御されるサービングセル周波数の中の特定プールのＳＩＢ１９の中の前記ＵＥに対する宣言レートと、前記サービングセル周波数のＳＩＢ１９の周波数リストの中のＰＬＭＮ間発見宣言レート情報と、周波数間及びＰＬＭＮ間発見のための専用発見プール又はサブプールと、前記非サービングＰＬＭＮの前記１又は複数の搬送波周波数での発見メッセージの送信のための送信（ＴＸ）発見プールであって、前記ＵＥが複数の搬送波周波数のうちの１つの中で構成される前記発見プールのＫ番目の期間毎に送信できるようにし、Ｋは１より大きい正整数である、送信（ＴＸ）発見プールと、又は既存の発見プール構成の一番上にある周波数間発見宣言又は監視の時間間隔であって、前記時間間隔はＰＬＭＮアイデンティティに依存する、時間間隔と、を使用するよう更に構成される、ことを更に含んで良い。
【０１３６】
例６２は、例５５〜６１に記載の装置を含み、前記１又は複数のプロセッサ及びメモリは、送信確率、発見宣言レート、専用発見プール、及び周波数間発見宣言のための時間期間の構成を、ＰＬＭＮアイデンティティの関数として使用し、複数の搬送波周波数に渡り発見宣言のためのＰＬＭＮアイデンティティ依存スケジューリングを用いて、ＰＬＭＮ間発見宣言及び監視を実行し、複数の異なるアイデンティティのうちの１又は複数に基づく発見宣言及び発見監視間隔のランダム化を用いて、ＰＬＭＮ間発見宣言及び監視を実行し、又は復調参照信号（ＤＭＲＳ）シーケンス、ＤＭＲＳ直交カバーコードシーケンス、ＤＭＲＳ巡回シフト、発見プールの範囲内の発見ホッピング、ＰＬＭＮアイデンティティの関数である発見信号物理構造、又はそれらの組合せを有する発見シグナリングの物理構造を使用する、よう更に構成される。
【０１３７】
例６３は、ｅＮｏｄｅＢの装置であって、前記ｅＮｏｄｅＢは、周波数間及び公衆地上移動体通信網（ＰＬＭＮ）間発見を実行するためにユーザ機器（ＵＥ）を支援するよう構成され、前記装置は、前記ＵＥへの送信のために、前記ＵＥのサービングＰＬＭＮの搬送波周波数について、サービングＰＬＭＮシステム情報ブロック（ＳＩＢ）１９を処理して、前記ＵＥが前記ＳＩＢ１９から周波数間及びＰＬＭＮ間発見システム情報取得支援シグナリング情報を取得できるようにし、前記ＵＥへの送信のために、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理して、前記ＵＥが前記非サービングＰＬＭＮの前記１又は複数の搬送波周波数の周波数間及びＰＬＭＮ間発見宣言レート情報及び監視制御構成情報を識別でき、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、よう構成される１又は複数のプロセッサ及びメモリを有する装置を含む。
【０１３８】
例６４は、周波数間及び公衆地上移動体通信網（ＰＬＭＮ）間の発見を実行する装置であって、前記装置は、前記ＵＥのサービングＰＬＭＮの搬送波周波数について、ｅＮｏｄｅＢから受信した、サービングＰＬＭＮシステム情報ブロック（ＳＩＢ）１９を処理する手段と、前記ＳＩＢ１９から周波数間及びＰＬＭＮ間発見システム情報取得支援シグナリング情報を取得する手段と、前記周波数間及びＰＬＭＮ間発見システム情報取得支援シグナリング情報を用いて、非サービングＰＬＭＮの１又は複数の搬送波周波数の非サービングＰＬＭＮ  ＳＩＢ１９を処理する手段と、前記非サービングＰＬＭＮの前記１又は複数の搬送波周波数の周波数間及びＰＬＭＮ間発見宣言レート情報及び監視制御構成情報を識別する手段であって、前記周波数間及びＰＬＭＮ間発見宣言レート情報及び監視制御構成情報に従い、前記ＵＥが前記非サービングＰＬＭＮの中のＵＥと装置間（Ｄ２Ｄ）発見を実行できるようにする、手段と、を有する装置を含む。
【０１３９】
本願明細書で用いられるとき、用語「回路」は、１又は複数のソフトウェア若しくはファームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なハードウェアコンポーネントを表し、その一部であり、又はそれを含み得る。幾つかの態様では、１又は複数のソフトウェア又はファームウェアモジュールにより、回路が実装でき、或いは、回路に関連する関数が実装できる。幾つかの態様では、回路は、少なくとも部分的にハードウェアで動作可能なロジックを含み得る。
【０１４０】
種々の技術又はその特定の態様若しくは部分は、フロッピーディスク、ＣＤ−ＲＯＭ（compact  disc−read−only  memory）、ハードドライブ、非一時的コンピュータ可読記憶媒体、又は任意の他の機械可読記憶媒体のような有形媒体に具現化されるプログラムコード（つまり、命令）の形式をとることができ、プログラムコードがコンピュータのような機械に読み込まれ実行されると、該機械は、種々の技術を実施するための装置になる。回路は、ハードウェア、プログラムコード、実行可能コード、コンピュータ命令、及び／又はソフトウェアを有し得る。非一時的コンピュータ可読記憶媒体は、信号を含まないコンピュータ可読記憶媒体であり得る。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含み得る。揮発性及び不揮発性メモリ及び／又は記憶素子は、ＲＡＭ（random−access  memory）、ＥＰＲＯＭ（erasable  programmable  read  only  memory）、フラッシュドライブ、光ドライブ、磁気ハードドライブ、固体ドライブ、又は電子データを格納する他の媒体であり得る。ノード及び無線装置は、通信機モジュール（つまり、通信機）、カウンタモジュール（つまり、カウンタ）、処理モジュール（つまり、プロセッサ）、及び／又はクロックモジュール（つまり、クロック）若しくはタイマモジュール（つまり、タイマ）を有し得る。ここに記載した種々の技術を実施し又は利用し得る１又は複数のプログラムは、ＡＰＩ（application  programming  interface）、再利用可能制御、等を用いることができる。このようなプログラムは、コンピュータシステムと通信するために、高度な手続き又はオブジェクト指向プログラミング言語で実装され得る。しかしながら、プログラムは、望ましい場合には、アセンブラ又は機械語で実装され得る。いずれの場合にも、言語は、コンパイルされた又はインタープリットされた言語であり得、ハードウェア実装と結合され得る。
【０１４１】
ここで使用されるように、用語「プロセッサ」は、汎用プロセッサ、ＶＬＳＩ、ＦＰＧＡのような専用プロセッサ、又は他の種類の専用プロセッサ、並びに、無線通信を送信し、受信し、及び処理するために通信機内で使用されるベースバンドプロセッサを含み得る。
【０１４２】
理解されるべきことに、本願明細書に記載の機能ユニットの多くは、それらの実装独立性を特に強調するために、モジュールとしてラベル付けされた。例えば、モジュールは、カスタムＶＬＳＩ（very−large−scale  integration）回路又はゲートアレイ、ロジックチップ、トランジスタ若しくは他の個別部品のようなオフザシェルフ（off−the−shelf）半導体を有するハードウェア回路として実装され得る。モジュールは、フィールドプログラマブルゲートアレイ、プログラマブルアレイロジック、プログラマブルロジックデバイス、等のようなプログラマブルハードウェア素子内に実装され得る。
【０１４３】
モジュールは、種々の種類のプロセッサにより実行されるソフトウェアで実装され得る。例えば、実行可能コードの識別されるモジュールは、例えばオブジェクト、プロシジャ又は関数として編成され得るコンピュータ命令の１又は複数の物理又は論理ブロックを有し得る。しかしながら、識別されるモジュールの実行ファイルは、物理的に一緒に配置されなくて良く、論理的に一緒にされるとモジュールを有しモジュールの提示される目的を達成する異なる場所に格納される別個の命令を有し得る。
【０１４４】
実際に、実行可能コードのモジュールは、単一命令又は多くの命令であり、幾つかの異なるコードセグメントに渡り、異なるプログラムの間で、及び幾つかのメモリ装置に渡り分散され得る。同様に、運用データは、ここにモジュール内で識別され示され、任意の適切な形式で実装され、任意の適切な種類のデータ構造で編成され得る。運用データは、単一データセットとして集められ、異なる記憶装置に渡ることを含む異なる場所に渡り分散され、少なくとも部分的にシステム又はネットワーク上の電子信号として単に存在し得る。モジュールは、所望の機能を実行するよう動作するエージェントを含み、受動的又は能動的であり得る。
【０１４５】
本願明細書を通じて「一例」又は「例示的」という言及は、その例と関連して記載された特定の特徴、構造、機能又は特性が本発明の技術の少なくとも１つの実施形態に含まれることを意味する。したがって、本願明細書を通じて種々の場所にある「一例では」という表現又は「例示的な」という語の出現は、必ずしも全て同じ実施形態を参照していない。
【０１４６】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、本発明の技術の種々の実施形態及び例は、その種々の成分の代替物とともにここで言及され得る。理解されるべきことに、このような実施形態、例、及び代替は、事実上互いの等価物として考えられるべきではないが、本発明の技術の別個の及び自主的表現として考えられるべきである。
【０１４７】
更に、記載の特徴、構造又は特性は、１又は複数の実施形態において、任意の適切な方法で結合され得る。以下の記載では、本技術の実施形態の完全な理解を提供するために、レイアウトの例、距離、ネットワーク例、等のような多くの特定の詳細事項が提供される。しかしながら、当業者は、本技術が特定の詳細事項のうちの１又は複数がなくても又は他の方法、コンポーネント、レイアウト、等で実施できることを理解するだろう。他の例では、良く知られた構造、材料又は動作は、本技術の態様を不明瞭にしないために詳細に示されず又は記載されない。
【０１４８】
前述の例は１又は複数の特定の用途における本発明の技術の原理の説明であるが、当業者には、発明力を行使しないで及び本技術の原理及び概念から逸脱することなく、実装の形式、使用方法及び詳細事項において多くの変更を行うことができることが明らかである。したがって、以下に記載の請求の範囲を除いて、本技術は限定されるものではない。
【図１】
0006672320.tif 000002
【図２】
0006672320.tif 000003
【図３】
0006672320.tif 000004
【図４】
0006672320.tif 000005
【図５】
0006672320.tif 000006
【図６】
0006672320.tif 000007
【図７】
0006672320.tif 000008
【図８】
0006672320.tif 000009
【図９】
0006672320.tif 000010
【図１０】
0006672320.tif 000011
【図１１】
0006672320.tif 000012